(57)【要約】  本願における実施形態は通信分野に関し、特に通信分野における、情報送信／受信方法および装置に関する。情報受信方法は、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報受信時間を決定するステップと、決定した情報受信時間で情報を受信するステップとを含む。本願における実施形態で提供される情報受信／送信方法によれば、情報送信装置は正確な情報送信時間で情報を送信でき、情報受信装置は正確な情報受信時間で情報を受信でき、システム通信を正常に行うことができる。
2021513273.tif 000002
【特許請求の範囲】
【請求項１】
情報受信時間を決定するステップと、
前記決定した情報受信時間で情報を受信するステップと
を含む、情報受信方法。
【請求項２】
情報受信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報受信時間を決定するステップを含む、請求項1に記載の方法。
【請求項３】
情報受信時間を決定する前記ステップが、
前記情報受信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報受信時間＝事前設定オフセット
を含む、請求項2に記載の方法。
【請求項４】
前記情報が、時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に開始側によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項５】
前記情報が、時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレームのうちのResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項3に記載の方法。
【請求項６】
情報受信時間を決定する前記ステップが、時分割複信セクタスイープ確認フレーム計数指数、計数指数、および時分割複信セクタスイープフレーム計数指数のうちのいずれか2つと、時分割複信セクタスイープフィードバックフレームの持続時間、時分割複信セクタスイープフレームの持続時間、および時分割複信セクタスイープ確認フレームの持続時間とに基づいて前記情報受信時間を決定するステップを含む、請求項1に記載の方法。
【請求項７】
前記情報が、前記時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［前記時分割複信セクタスイープフィードバックフレームの前記持続時間＋（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までの持続時間に設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの前記持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項6に記載の方法。
【請求項８】
情報受信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報受信時間を決定するステップを含む、請求項1に記載の方法。
【請求項９】
前記情報が、時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までに設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項8に記載の方法。
【請求項１０】
前記情報が、時分割複信セクタスイープ確認フレームであり、前記時分割複信セクタスイープ確認フレームの受信時間を決定する前記ステップが具体的には、
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記受信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項１１】
前記情報が開始側告知フレームであり、前記開始側告知フレームの受信時間を決定する前記ステップが具体的には、
前記開始側告知フレームの前記受信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項１２】
前記情報が応答側告知フレームであり、前記応答側告知フレームの受信時間を決定する前記ステップが具体的には、
前記応答側告知フレームの前記受信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記受信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記受信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項１３】
情報送信時間を決定するステップと、
前記決定した情報送信時間で情報を送信するステップと
を含む、情報送信方法。
【請求項１４】
情報送信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報送信時間を決定するステップを含む、請求項13に記載の方法。
【請求項１５】
情報送信時間を決定する前記ステップが、
前記情報送信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報送信時間＝事前設定オフセット
を含む、請求項14に記載の方法。
【請求項１６】
前記情報が、時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項１７】
前記情報が、時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項15に記載の方法。
【請求項１８】
情報送信時間を決定する前記ステップが、時分割複信セクタスイープ確認フレーム計数指数、計数指数、および時分割複信セクタスイープフレーム計数指数のうちのいずれか2つと、時分割複信セクタスイープフィードバックフレームの持続時間、時分割複信セクタスイープフレームの持続時間、および時分割複信セクタスイープ確認フレームの持続時間とに基づいて前記情報送信時間を決定するステップを含む、請求項13に記載の方法。
【請求項１９】
前記情報が、前記時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの受信時間＝応答側フィードバックオフセット−［前記時分割複信セクタスイープフィードバックフレームの前記持続時間＋（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までに設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの前記持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項18に記載の方法。
【請求項２０】
情報送信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報送信時間を決定するステップを含む、請求項13に記載の方法。
【請求項２１】
前記情報が、時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までに設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項20に記載の方法。
【請求項２２】
前記情報が、時分割複信セクタスイープ確認フレームであり、前記時分割複信セクタスイープ確認フレームの送信時間を決定する前記ステップが具体的には、
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記送信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項２３】
前記情報が開始側告知フレームであり、前記開始側告知フレームの送信時間を決定する前記ステップが具体的には、
前記開始側告知フレームの前記送信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項２４】
前記情報が応答側告知フレームであり、前記応答側告知フレームの送信時間を決定する前記ステップが具体的には、
前記応答側告知フレームの前記送信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記送信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記送信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項２５】
情報受信時間を決定するように構成された処理モジュールと、
前記決定した情報受信時間で情報を受信するように構成された送受信モジュールと、
を備える、情報受信装置。
【請求項２６】
前記処理モジュールが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報受信時間を決定するように特に構成される、請求項25に記載の情報受信装置。
【請求項２７】
前記情報受信時間を決定することが、
前記情報受信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報受信時間＝事前設定オフセット
を含む、請求項26に記載の情報受信装置。
【請求項２８】
前記情報が、時分割複信セクタスイープフィードバックフレームであり、前記時分割複信セクタスイープフィードバックフレームの受信時間を決定することが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項２９】
前記情報が、時分割複信セクタスイープフィードバックフレームであり、前記時分割複信セクタスイープフィードバックフレームの受信時間を決定することが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項27に記載の情報受信装置。
【請求項３０】
前記情報が、時分割複信セクタスイープ確認フレームであり、前記時分割複信セクタスイープ確認フレームの受信時間を決定することが具体的には、
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記受信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項３１】
前記情報が開始側告知フレームであり、前記開始側告知フレームの受信時間を決定することが具体的には、
前記開始側告知フレームの前記受信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項３２】
前記情報が応答側告知フレームであり、前記応答側告知フレームの受信時間を決定することが具体的には、
前記応答側告知フレームの前記受信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記受信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記受信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項３３】
情報送信時間を決定するように構成された処理モジュールと、
前記決定した情報送信時間で情報を送信するように構成された送受信モジュールと、
を備える、情報送信装置。
【請求項３４】
前記処理モジュールが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報送信時間を決定するように特に構成される、請求項33に記載の情報送信装置。
【請求項３５】
前記情報送信時間を決定することが、
前記情報送信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報送信時間＝事前設定オフセット
を含む、請求項33に記載の情報送信装置。
【請求項３６】
前記情報が、時分割複信セクタスイープフィードバックフレームであり、前記時分割複信セクタスイープフィードバックフレームの送信時間を決定することが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項３７】
前記情報が、時分割複信セクタスイープフィードバックフレームであり、前記時分割複信セクタスイープフィードバックフレームの送信時間を決定することが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項34に記載の情報送信装置。
【請求項３８】
前記情報が、時分割複信セクタスイープ確認フレームであり、前記時分割複信セクタスイープ確認フレームの送信時間を決定することが具体的には、
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記送信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項３９】
前記情報が開始側告知フレームであり、前記開始側告知フレームの送信時間を決定することが具体的には、
前記開始側告知フレームの前記送信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項４０】
前記情報が応答側告知フレームであり、前記応答側告知フレームの送信時間を決定することが具体的には、
前記応答側告知フレームの前記送信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記送信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記送信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項４１】
受信デバイスであって、前記受信デバイスは、プロセッサと、送受信機と、メモリとを備え、前記メモリは命令を記憶するように構成され、前記プロセッサは、請求項1から12のいずれか一項に記載の方法を行うために、前記メモリ内の前記命令を実行するように構成される、受信デバイス。
【請求項４２】
送信デバイスであって、前記送信デバイスは、プロセッサと、送受信機と、メモリとを備え、前記メモリは命令を記憶するように構成され、前記プロセッサは、請求項12から24のいずれか一項に記載の方法を行うために、前記メモリ内の前記命令を実行するように構成される、送信デバイス。
【請求項４３】
コンピュータ可読記憶媒体であって、前記コンピュータ可読記憶媒体はコンピュータプログラムを記憶するように構成され、前記コンピュータプログラムがコンピュータで実行されると、前記コンピュータは請求項1から24のいずれか一項に記載の方法を実行可能となる、コンピュータ可読記憶媒体。
【請求項４４】
コンピュータプログラム製品であって、前記コンピュータプログラム製品は、請求項1から24のいずれか一項に記載の方法を実行するのに使用される命令を含む、コンピュータプログラム製品。
【請求項４５】
チップであって、前記チップはプロセッサと送受信機インターフェースとを備え、前記送受信機インターフェースおよび前記プロセッサは、内部接続パスを使用して相互に通信し、前記プロセッサは、請求項1から24のいずれか一項に記載の方法を行うように前記チップを制御するように構成される、チップ。
【請求項４６】
請求項1から24のいずれか一項に記載の方法を実施するように構成された、装置。
【発明の詳細な説明】
【技術分野】
【０００１】
本願は、2018年2月8日に中国国家知識産権局に出願された「INFORMATION SENDING／RECEIVING METHOD AND APPARATUS」という名称の中国特許出願第201810129057．X号の優先権を主張し、当該出願は、参照することによりその全体が本明細書に組み入れられる。
【０００２】
本願における実施形態は通信分野に関し、特に通信分野における、情報送信／受信方法および装置に関する。
【背景技術】
【０００３】
多くの通信シナリオにおいて、1つのアクセスポイント／サイトは、複数のアクセスポイント／サイトに同時に接続して通信する必要がある。アクセスポイント／サイトが、アクセスポイント／サイトに接続された複数のアクセスポイント／サイトと効率的に通信できるようにするために、アクセスポイント／サイトによって送信されるフレームの大きさは、アクセスポイント／サイトに接続された複数のアクセスポイント／サイトの数により変化する。
【０００４】
先行技術では、1つのアクセスポイント／サイトが複数のアクセスポイント／サイトと通信するときに、多くの通信パラメータが、デフォルトでは、アクセスポイント／サイトによって送信されたフレームの大きさが一定であるものとして計算され、アクセスポイント／サイトによって送信されたフレームの大きさが変化する因数は考慮されない。その結果、先行技術を使用して計算された通信パラメータは不正確であり、不正確な通信パラメータが通信システムの正常な通信に影響を及ぼしている。
【発明の概要】
【課題を解決するための手段】
【０００５】
本願における実施形態は情報受信／送信方法を提供し、これを使用して正確な通信パラメータを取得することができる。
【０００６】
第1の態様によれば、本願における実施形態は、
情報受信時間を決定するステップと、前記決定した情報受信時間で情報を受信するステップと
を含む、情報受信方法を提供する。
【０００７】
また、情報受信時間を決定するステップは、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報受信時間を決定するステップを含む。
【０００８】
また、情報受信時間を決定するステップは、
情報受信時間＝事前設定オフセット−（一定の時間内に送信されたフレームによって占有された持続時間＋全フレーム間間隔）であって、事前設定オフセットは事前設定値であり、一定の時間内に送信されたフレームによって占有された持続時間は、一定の時間内に送信された1種類のフレーム、または複数の種類のフレームによって占有された部分時間長および／または全時間長であり、全フレーム間間隔は、一定の時間内に送信された1種類のフレーム間、または複数の種類のフレーム間の間隔によって占有された部分時間長および／または全時間長である、情報受信時間＝事前設定オフセット
を含む。
【０００９】
第1の態様の第1の実施形態において、情報は時分割複信セクタスイープフィードバックフレームであり、時分割複信セクタスイープフィードバックフレームの受信時間を決定するステップは具体的には、
時分割複信セクタスイープフィードバックフレームの受信時間＝応答側フィードバックオフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側フィードバックオフセットは、1つ以上の時分割複信セクタスイープフレーム内のResponder Feedback Offset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD Slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD slot内で送信されたフレームのうちの隣接するフレーム間の間隔であり、フレームは、時分割複信セクタスイープフレームと、時分割複信セクタスイープ確認フレームとを含む。
【００１０】
第1の態様の第2の実施形態において、情報は時分割複信セクタスイープ確認フレームであり、時分割複信セクタスイープ確認フレームの受信時間を決定するステップは具体的には、
時分割複信セクタスイープ確認フレームの受信時間＝開始側確認オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側確認オフセットは、1つ以上の時分割複信セクタスイープフレーム内のInitiator Ack Offset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００１１】
第1の態様の第3の実施形態において、情報は開始側告知フレームであり、開始側告知フレームの受信時間を決定するステップは具体的には、
開始側告知フレームの受信時間＝開始側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側送信オフセットは、時分割複信セクタスイープ確認フレーム内のEnd of Training subfieldの値が1のときは、Initiator Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００１２】
第1の態様の第4の実施形態において、情報は応答側告知フレームであり、応答側告知フレームの受信時間を決定するステップは具体的には、
応答側告知フレームの受信時間＝応答側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側送信オフセットは、時分割複信セクタスイープ確認フレーム内のEnd of Training subfieldの値が1のときは、Responder Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００１３】
第2の態様によれば、本願における実施形態は、
情報送信時間を決定するステップと、前記決定した情報送信時間で情報を送信するステップと
を含む、情報送信方法を提供する。
【００１４】
また、情報送信時間を決定するステップは、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報送信時間を決定するステップを含む。
【００１５】
また、情報送信時間を決定するステップは、
情報送信時間＝事前設定オフセット−（一定の時間内に送信されたフレームによって占有された持続時間＋全フレーム間間隔）であって、事前設定オフセットは事前設定値であり、一定の時間内に送信されたフレームによって占有された持続時間が、一定の時間内に送信された1種類のフレーム、または複数の種類のフレームによって占有された部分時間長および／または全時間長であり、全フレーム間間隔は、一定の時間内に送信された1種類のフレーム間、または複数の種類のフレーム間の間隔によって占有された部分時間長および／または全時間長である、情報送信時間＝事前設定オフセット
を含む。
【００１６】
第2の態様の第1の実施形態において、情報は時分割複信セクタスイープフィードバックフレームであり、時分割複信セクタスイープフィードバックフレームの送信時間を決定するステップは具体的には、
時分割複信セクタスイープフィードバックフレームの送信時間＝応答側フィードバックオフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側フィードバックオフセットは、1つ以上の時分割複信セクタスイープフレーム内のResponder Feedback Offset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００１７】
第2の態様の第2の実施形態において、情報は時分割複信セクタスイープ確認フレームであり、時分割複信セクタスイープ確認フレームの送信時間を決定するステップは具体的には、
時分割複信セクタスイープ確認フレームの送信時間＝開始側確認オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側確認オフセットは、1つ以上の時分割複信セクタスイープフレーム内のInitiatorAckOffset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００１８】
第2の態様の第3の実施形態において、情報は開始側告知フレームであり、開始側告知フレームの送信時間を決定するステップは具体的には、
開始側告知フレームの送信時間＝開始側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側送信オフセットは、時分割複信セクタスイープ確認フレーム内のEnd of Training subfieldの値が1のときは、Initiator Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００１９】
第2の態様の第4の実施形態において、情報は応答側告知フレームであり、応答側告知フレームの送信時間を決定するステップは具体的には、
応答側告知フレームの送信時間＝応答側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側送信オフセットは、時分割複信セクタスイープ確認フレーム内のEnd of Training subfieldの値が1のときは、Responder Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００２０】
第3の態様によれば、本願における実施形態は、
情報受信時間を決定するように構成された処理モジュールと、
決定した情報受信時間で情報を受信するように構成された送受信モジュールと、
を備える情報受信装置を提供する。
【００２１】
また、情報受信時間を決定するステップは、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報受信時間を決定するステップを含む。
【００２２】
第3の態様の第1の実施形態において、情報は時分割複信セクタスイープフィードバックフレームであり、時分割複信セクタスイープフィードバックフレームの受信時間を決定するステップは具体的には、
時分割複信セクタスイープフィードバックフレームの受信時間＝応答側フィードバックオフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側フィードバックオフセットは、1つ以上の時分割複信セクタスイープフレーム内のResponder Feedback Offset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００２３】
第3の態様の第2の実施形態において、情報は時分割複信セクタスイープ確認フレームであり、時分割複信セクタスイープ確認フレームの受信時間を決定するステップは具体的には、
時分割複信セクタスイープ確認フレームの受信時間＝開始側確認オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側確認オフセットは、1つ以上の時分割複信セクタスイープフレーム内のInitiatorAckOffset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００２４】
第3の態様の第3の実施形態において、情報は開始側告知フレームであり、開始側告知フレームの受信時間を決定するステップは具体的には、
開始側告知フレームの受信時間＝開始側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側送信オフセットは、時分割複信セクタスイープ確認フレーム内のEnd of Training subfieldの値が1のときは、Initiator Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００２５】
第3の態様の第4の実施形態において、情報は応答側告知フレームであり、応答側告知フレームの受信時間を決定するステップは具体的には、
応答側告知フレームの受信時間＝応答側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側送信オフセットは、時分割複信セクタスイープ確認フレーム内のEnd of Training subfieldの値が1のときは、Responder Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００２６】
第4の態様によれば、本願における実施形態は、
情報送信時間を決定するように構成された処理モジュールと、
決定した情報送信時間で情報を送信するように構成された送受信モジュールと、
を備える情報送信装置を提供する。
【００２７】
また、情報送信時間を決定するステップは、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報送信時間を決定するステップを含む。
【００２８】
第4の態様の第1の実施形態において、情報は時分割複信セクタスイープフィードバックフレームであり、時分割複信セクタスイープフィードバックフレームの送信時間を決定するステップは具体的には、
時分割複信セクタスイープフィードバックフレームの送信時間＝応答側フィードバックオフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側フィードバックオフセットは、1つ以上の時分割複信セクタスイープフレーム内のResponder Feedback Offset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００２９】
第4の態様の第2の実施形態において、情報は時分割複信セクタスイープ確認フレームであり、時分割複信セクタスイープ確認フレームの送信時間を決定するステップは具体的には、
時分割複信セクタスイープ確認フレームの送信時間＝開始側確認オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側確認オフセットは、1つ以上の時分割複信セクタスイープフレーム内のInitiatorAckOffset subfieldの値であり、1つ以上の時分割複信セクタスイープフレームは同じTX Sector IDを有し、かつ1つ以上の時分割複信セクタスイープフレームはTDD slot内で送信され、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームはTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００３０】
第4の態様の第3の実施形態において、情報は開始側告知フレームであり、開始側告知フレームの送信時間を決定するステップは具体的には、
開始側告知フレームの送信時間＝開始側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
開始側送信オフセットは、時分割複信セクタスイープ確認フレーム内のEnd of Training subfieldの値が1のときは、Initiator Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００３１】
第4の態様の第4の実施形態において、情報は応答側告知フレームであり、応答側告知フレームの送信時間を決定するステップは具体的には、
応答側告知フレームの送信時間＝応答側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］であって、
応答側送信オフセットは、時分割複信セクタスイープ確認フレーム内のEnd of Training subfieldの値が1のときは、Responder Transmit Offset subfieldの値であり、
時分割複信セクタスイープ確認フレーム計数指数は、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
時分割複信セクタスイープ確認フレームの持続時間は、時分割複信セクタスイープ確認フレームに対応するPHY層PPDUの持続時間であり、
計数指数は、TDD Slot内で送信されたフレームの総計数値であり、フレームは、時分割複信セクタスイープフレームと、時分割複信セクタスイープ確認フレームとを含み、
時分割複信セクタスイープフレームの持続時間は、時分割複信セクタスイープフレームに対応するPHY層PPDUの持続時間であり、
短いビーム形成フレーム間間隔は、TDD Slot内で送信されたフレームのうちの隣接するフレーム間の間隔であり、フレームは、時分割複信セクタスイープフレームと、時分割複信セクタスイープ確認フレームとを含む。
【００３２】
第5の態様によれば、本願における実施形態は、情報受信デバイスを提供する。情報受信デバイスは、送受信機とプロセッサとを備え、かつ任意で、情報受信デバイスはメモリをさらに備えてもよい。プロセッサは、信号を受信するために受信機を制御する、または信号を送信するために送信機を制御し、かつ第1の態様、または第1の態様の可能な実施形態のいずれか1つによる方法を実施するために、命令を実行するように構成される。メモリは、命令を記憶するように構成される。送受信機は、信号を送信／受信するように構成される。
【００３３】
第6の態様によれば、本願における実施形態は、情報送信デバイスを提供する。情報送信デバイスは、送受信機とプロセッサとを備え、かつ任意で、情報送信デバイスはメモリをさらに備えてもよい。プロセッサは、信号を受信するために受信機を制御する、または信号を送信するために送信機を制御し、かつ第2の態様、または第2の態様の可能な実施形態のいずれか1つによる方法を実施するために、命令を実行するように構成される。メモリは、命令を記憶するように構成される。送受信機は、信号を送信／受信するように構成される。
【００３４】
第7の態様によれば、本願における実施形態は、コンピュータプログラムを記憶するように構成され、コンピュータプログラムは第1の態様、または第1の態様の可能な実施のいずれか1つによる方法を実行するために使用される命令を含む、コンピュータ可読媒体を提供する。
【００３５】
第8の態様によれば、本願における実施形態は、コンピュータプログラムを記憶するように構成され、コンピュータプログラムは第2の態様、または第2の態様の可能な実施のいずれか1つによる方法を実行するために使用される命令を含む、コンピュータ可読媒体を提供する。
【００３６】
第9の態様によれば、本願における実施形態はコンピュータプログラムを提供する。コンピュータプログラムは、第1の態様、または第1の態様の可能な実施のいずれか1つによる方法を実行するために使用される命令を記憶する。
【００３７】
第10の態様によれば、本願における実施形態はコンピュータプログラムを提供する。コンピュータプログラムは、第2の態様、または第2の態様の可能な実施のいずれか1つによる方法を実行するのに使用される命令を記憶する。
【００３８】
第11の態様によれば、本願における実施形態は、情報受信チップを提供する。情報受信チップは、プロセッサと、送受信機インターフェースとを備える。送受信機インターフェースとプロセッサとは、内部接続パスを使用して互いに通信する。プロセッサは、信号を受信する受信インターフェースを制御し、かつ信号を送信する送信インターフェースを制御するために、第1の態様の任意の可能な実施形態による方法を実行する。
【００３９】
第12の態様によれば、本願における実施形態は、情報送信チップを提供する。情報送信チップは、プロセッサと、送受信機インターフェースとを備える。送受信機インターフェースとプロセッサとは、内部接続パスを使用して互いに通信する。プロセッサは、信号を受信する受信インターフェースを制御し、かつ信号を送信する送信インターフェースを制御するために、第2の態様の任意の可能な実施形態による方法を実行する。
【図面の簡単な説明】
【００４０】
【図１】本願における実施形態による、ネットワークアーキテクチャの適用シナリオの概略図である。
【図２】本願における実施形態による、時間の適用シナリオの概略図である。
【図３】本願における実施形態による方法のフローチャートである。
【図４】本願における実施形態による、第1の可能な実施におけるResponderFeedbackOffsetの設定の概略図である。
【図５】本願における実施形態による、第2の可能な実施におけるResponderFeedbackOffsetの設定の概略図である。
【図６】本願における実施形態による、第3の可能な実施におけるResponderFeedbackOffsetの設定の概略図である。
【図７】本願における実施形態による、情報受信／送信装置を示す。
【図８】本願における実施形態による、情報受信装置／送信装置の可能な製品形態の構造図である。
【図９】TDD SSW frame format（TDD individual BF）を示す。
【発明を実施するための形態】
【００４１】
以下、本願における実施形態の添付の図面を参照しながら、本願における実施形態の技術的解決策について説明する。
【００４２】
本願における実施形態は、グローバル移動通信（global system for mobile communication，GSM）システム、符号分割多重アクセス（code division multiple access，CDMA）システム、広帯域符号分割多重アクセス（wideband code division multiple access，WCDMA(登録商標)）システム、汎用パケット無線サービス（general packet radio service，GPRS）、ロングタームエボリューション（long term evolution，LTE）システム、LTE周波数分割双方向（frequency division duplex，FDD）システム、LTE時分割複信（time division duplex，TDD）システム、ユニバーサル移動体通信システム（universal mobile telecommunications system，UMTS）、ワールドワイド・インターオペラビリティ・フォー・マイクロウェーブ・アクセス（worldwide interoperability for microwave access，WiMAX）通信システム、および5G通信システムなどのさまざまな通信システムに適用され得ることを理解されたい。
【００４３】
本願における実施形態は、スパースコード多重アクセス（sparse code multiple access，SCMA）システムなど、さまざまな非直交多重アクセス技術に基づく通信システムにさらに適用され得ることをさらに理解されたい。通信分野においてSCMAは別の名前で呼ばれる場合もあることは言うまでもない。また、本願における実施形態の技術的解決策は、非直交多重アクセス技術を使用する直交周波数分割多重化（orthogonal frequency division multiplexing，OFDM）システム、フィルタバンクマルチキャリア（filter bank multi−carrier，FBMC）システム、一般化周波数分割多重化（generalized frequency division multiplexing，GFDM）システム、および濾波直交周波数分割多重化（filtered−OFDM，F−OFDM）システムなどの、非直交多重アクセス技術を使用するマルチキャリア伝送システムに適用されてもよい。
【００４４】
本願における実施形態は、LTEシステム、および5Gなど後続の進化型システム、さまざまな無線アクセス技術を使用するその他の無線通信システム、例えば、コード分割多重アクセス、周波数分割多重アクセス、時分割多重アクセス、直交周波数分割多重アクセス、およびシングルキャリア周波数分割多重アクセスなどのアクセス技術を使用するシステムに適用されてもよく、チャネル情報フィードバックが必要とされる、かつ／または2段階プリコーディング技術が使用される状況、例えば、Massive MIMO技術を使用する無線ネットワーク、または分散アンテナ技術を使用する無線ネットワークに特に適用可能なことをさらに理解されたい。
【００４５】
本願における実施形態は、メッシュ分散ネットワークシステムにも適用され得ることをさらに理解されたい。メッシュ分散ネットワークシステムは、複数のアクセスポイントおよび複数のサイトを有する。1つのアクセスポイントまたはサイトは、複数の他のアクセスポイントまたはサイトと通信する。
【００４６】
図1は、本願における実施形態による、ネットワークアーキテクチャの適用シナリオの概略図である。図1に示すように、装置Aは、少なくとも1つの装置Bと通信する。装置Aによって少なくとも1つの装置Bとともに行われるビーム形成トレーニングの効率を向上させるために、装置Aによって送信された時分割複信セクタスイープフレーム（Time Division Duplex Sector Sweep frame，TDD SSWgroup frame）の持続時間は変数値であり、もはや固定値ではない。また、実際の通信プロセスでは、装置Aはビーム形成トレーニングのためにTDD Slot内でTDD SSW group frameを送信し、装置Bによってフィードバックされた時分割複信セクタスイープフィードバックフレーム（Time Division Duplex Sector Sweep Feedback frame，TDD SSW Feedback frame）を確認するために、時分割複信セクタスイープ確認フレーム（Time Division Duplex Sector Sweep Ack frame，TDD SSW Ack frame）をさらに送信する。図2に示すように、装置Aは、時分割複信スロット（Time Division Duplex Slot，TDD Slot）内のTDD SSW group frameおよびTDD SSW ACK frameを送信する。図2のTDD Slot内のTDD SSW group frameは、ビーム形成トレーニングに使用され、図2のTDD Slot内のTDD SSW Ack frameは、装置Bによって以前にフィードバックされたTDD SSW Feedback frameの確認に使用される（装置Bによって以前にフィードバックされたTDD SSW Feedback frameは図2に示されていない）。装置Aによって送信されたTDD SSW group frameの持続時間が変化し、TDD SSW group frameおよびTDD SSW Ack frameが同じTDD Slot内で送信されるときは、TDD SSW Feedback frameの送信／受信時間、TDD SSW Ack frameの送信／受信時間、開始側告知フレーム（Initiator Announce frame）の送信／受信時間、および先行技術を使用して計算された応答側告知フレーム（Responder Announce frame）の送信／受信時間は、すべて不正確である。このため、通信システムは通常の通信を行うことができない。
【００４７】
前述した技術的な問題を解決するために、本願における実施形態は2つの解決策を提供する。
【００４８】
1．TDD SSW group frameおよびTDD SSW Ack frameは、同じTDD Slotで送信されることを許可されない。この場合、前述した時間パラメータは先行技術を使用して計算されてもよい。
【００４９】
2．本願における実施形態では、以下に述べる技術的解決策が使用される。
【００５０】
先行技術では、TDD SSW frame、TDD SSW Feedback frame、およびTDD SSW Ack frameの持続時間は等しい。本願における実施形態では、TDD SSW group frameの持続時間は、TDD SSW Feedback frameおよびTDD SSW Ack frameの持続時間と等しくない。
【００５１】
図2は、本願における実施形態による、時間の適用シナリオの概略図である。図2は、装置Aと1つの装置Bとの間の通信手順のみを示す。装置Aと他の装置Bとの間の通信手順はこれと同様であり、以下で再度詳細に説明されることはない。
【００５２】
図2に示すように、装置Aは、TDD Slot内のTDD SSW group frameおよび／またはTDD SSW Ack frameを送信する。TDD SSW group frameは、装置Aによって少なくとも1つの装置B（図1に示す少なくとも1つの装置Bなど）とともに実行されるビーム形成トレーニングに使用され、TDD SSW Ack frameは、装置B（図1に示す装置Bなど）によって以前にフィードバックされたTDD SSW Feedback frameを確認するために装置Aによって使用される（装置Bによって以前にフィードバックされたTDD SSW Feedback frameは図2には示されていない）。
【００５３】
図2に示すように、ある時点で、装置BがTDD SSW Feedback frameを装置Aにフィードバックし、TDD SSW Feedback frameは、装置Bによって受信されたTDD SSW group frameをフィードバックするために装置Bによって使用される。
【００５４】
図2に示すように、ある時点で、装置AはTDD SSW Ack frameを装置Bに送信し、TDD SSW Ack frameは、装置Aによって受信されたTDD SSW Feedback frameを確認するために装置Aによって使用される。図2に示すように、ある時点で、装置AはInitiator Announce frameを装置Bに送信し、Initiator Announce frameは、いくつかの管理情報、例えば、スロット割り当てやスケジューリング情報、および／またはビームスイープ結果情報を交換するために使用される。
【００５５】
図2に示すように、ある時点で、装置BはResponder Announce frameを装置Aに送信し、Responder Announce frameは、いくつかの管理情報、例えば、スロット割り当てやスケジューリング情報、および／またはビームスイープ結果情報を交換するために使用される。
【００５６】
本願における実施形態は、情報を受信／送信する方法および装置を提供し、その結果、装置A／装置Bは、前述した4種類のフレーム（TDD SSW Feedback frame、TDD SSW Ack frame、Initiator Announce frame、およびResponder Announce frame）を正確な時点で受信／送信することができる。
【００５７】
図3は、本願における実施形態による方法のフローチャートである。図3に示すように、情報受信方法は以下のステップを含む。
【００５８】
S101．情報受信装置は情報受信時間を決定する。
【００５９】
第1の可能な実施において、情報受信装置によって情報受信時間を決定するS101のステップは、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報受信時間を決定するステップを含む。
【００６０】
Wi−Fi規格では、時分割複信セクタスイープ確認フレーム計数指数はAckCountIndexで表され、計数指数はCountIndexで表され、時分割複信セクタスイープフレーム計数指数はSswCountIndexで表され、時分割複信セクタスイープフレームの持続時間はTXTIME（TDD SSWgroup）で表され、時分割複信セクタスイープ確認フレームの持続時間はTXTIME（TDD Ack）で表される。
【００６１】
同様にWi−Fi規格では、短いビーム形成フレーム間間隔はSBIFSで表される。
【００６２】
本願におけるこの実施形態では、時分割複信セクタスイープ確認フレームの数＋時分割複信セクタスイープフレームの数＝フレームの総数である。時分割複信セクタスイープ確認フレーム計数指数は、時分割複信セクタスイープ確認フレームの数を数えるために使用され、0から開始する、または1から開始してもよい。時分割複信セクタスイープフレーム計数指数は、時分割複信セクタスイープフレームの数を数えるために使用され、0から開始する、または1から開始してもよい。この場合、計数指数はフレームの総数を数えるために使用され、0または1から開始してもよい。しかしながら、時分割複信セクタスイープ確認フレーム計数指数／時分割複信セクタスイープフレーム計数指数が0から開始するか1から開始するかにかかわらず、時分割複信セクタスイープ確認フレーム計数指数と、時分割複信セクタスイープフレーム計数指数と、計数指数は、時分割複信セクタスイープ確認フレームの数＋時分割複信セクタスイープフレームの数＝フレームの総数、という関係を満たす。
【００６３】
また、図2に示すように、S101は、装置Aによって、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいてTDD SSW Feedback frameの受信時間を決定するステップを含む。装置Aによって、TDD SSW Feedback frameの受信時間を決定する方法は、具体的には以下3つの方法を含むが、これに限定されない。
【００６４】
（1）TDD SSW Feedback frameの受信時間＝応答側フィードバックオフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］。（式1−1−1）
【００６５】
応答側フィードバックオフセットは、1つ以上のTDD SSW group frame中のResponder Feedback Offset subfieldの値であり、1つ以上のTDD SSW group frameは同じTX Sector IDを有し、かつ1つ以上のTDD SSW group frameはTDD slot内で送信される。
【００６６】
Wi−Fi規格では、応答側フィードバックオフセットはResponderFeedbackOffsetで表される。
【００６７】
図4に示すように、ResponderFeedbackOffsetの値は持続時間であり、持続時間は、装置Aが第1のTDD SSW group frame／TDD SSW ACKフレームの送信を終了したときの時間から、装置BがTDD SSW Feedback frameをフィードバックしたときの開始時間までの持続時間と、TDD SSW group frameの持続時間との合計に設定される。また、全TDD SSW frame中のResponderFeedbackOffsetフィールドの値は同じであり、すなわち後続の各TDD SSW frame内のResponderFeedbackOffsetフィールドの値は、「装置Aが第1のTDD SSW group frame／TDD SSW ACKフレームの送信を終了した時間から、装置BがTDD SSW Feedback frameをフィードバックした開始時間までの持続時間と、TDD SSW group frameの持続時間」との合計に設定される。
【００６８】
TDD SSW group frameの持続時間は、TDD SSW group frameに対応するPHY層PPDUの持続時間である。本願におけるこの実施形態で説明されるさまざまなフレームは、MAC層フレームである。本願におけるこの実施形態で説明されるMAC層フレームの持続時間は、MAC層フレームに対応するPHY層PPDUの持続時間である。
【００６９】
時分割複信セクタスイープ確認フレーム計数指数は、装置Bが現在のTDD SSW group frameを受信する前に、装置Aによって送信されたTDD SSW Ack frameの数であり、1つ以上のTDD SSW Ack frameがTDD slot内で送信され、時分割複信セクタスイープ確認フレーム計数指数≧0でかつ整数である。
【００７０】
時分割複信セクタスイープ確認フレームの持続時間は、TDD SSW Ack frameに対応するPHY層PPDUの持続時間である。
【００７１】
計数指数は、TDD Slot内の装置Aによって送信されたフレームの総計数値であり、フレームはTDD SSW group frameとTDD SSW Ack frameとを含み、計数指数≧0でかつ整数である。
【００７２】
時分割複信セクタスイープフレームの持続時間は、TDD SSW group frameに対応するPHY層PPDUの持続時間である。
【００７３】
短いビーム形成フレーム間間隔は、TDD Slot内の装置Aによって送信されたフレームのうちの隣接するフレーム間の間隔であり、フレームはTDD SSW group frameとTDD SSW Ack frameとを含む。
【００７４】
前述した式は、以下のように表現されてもよい。
【００７５】
TDD SSW Feedback frameの受信時間＝ResponderFeedbackOffset−［AckCountIndex＊TXTIME（TDD Ack）＋（CountIndex＋1−AckCountIndex）＊TXTIME（TDD SSWgroup）＋CountIndex＊SBIFS］。
【００７６】
ResponderFeedbackOffsetは、1つ以上のTDD SSW group frame中のResponder Feedback Offset subfieldの値であり、1つ以上のTDD SSW group frameは同じTX Sector IDを有し、かつ1つ以上のTDD SSW group frameはTDD slot内で送信される。
【００７７】
AckCountIndexは、装置Bが現在のTDD SSW group frameを受信する前に、装置Aによって送信されたTDD SSW Ack frameの数であり、1つ以上のTDD SSW Ack frameがTDD slot内で送信され、AckCountIndex≧0でかつ整数である。
【００７８】
TXTIME（TDD Ack）は、TDD SSW Ack frameに対応するPHY層PPDUの持続時間である。
【００７９】
CountIndexは、TDD Slot内の装置Aによって送信されたフレームの総計数値であり、フレームはTDD SSW group frameとTDD SSW Ack frameとを含み、CountIndex≧0でかつ整数である。
【００８０】
TXTIME（TDD SSWgroup）は、TDD SSW group frameに対応するPHY層PPDUの持続時間である。
【００８１】
SBIFSは、TDD Slot内の装置Aによって送信されたフレームのうちの隣接するフレーム間の間隔であり、フレームはTDD SSW group frameとTDD SSW Ack frameとを含む。
【００８２】
（2）TDD SSW Feedback frameの受信時間＝応答側フィードバックオフセット−［（計数指数−時分割複信セクタスイープフレーム計数指数）＊時分割複信セクタスイープ確認フレームの持続時間＋（時分割複信セクタスイープフレーム計数指数＋1）＊時分割複信セクタスイープフレームの持続時間＋計数指数＊短いビーム形成フレーム間間隔］。（式1−1−2）
【００８３】
式1−1−2におけるパラメータの意味および数値範囲は、式1−1−1における対応するパラメータの意味および数値範囲と同じであり、時分割複信セクタスイープフレーム計数指数が、TDD Slot内の装置Aによって送信された時分割複信セクタスイープフレームの計数値であり、時分割複信セクタスイープフレーム計数指数≧0であるところが相違している。
【００８４】
前述した式は、以下のように表現されてもよい。
【００８５】
TDD SSW Feedbackフレームの受信時間＝ResponderFeedbackOffset−［（CountIndex−SswCountIndex）＊TXTIME（TDD Ack）＋（SswCountIndex＋1）＊TXTIME（TDD SSWgroup）＋CountIndex＊SBIFS）］。
【００８６】
（3）TDD SSW Feedback frameの受信時間＝応答側フィードバックオフセット−［時分割複信セクタスイープ確認フレーム計数指数＊時分割複信セクタスイープ確認フレームの持続時間＋（時分割複信セクタスイープフレーム計数指数＋1）＊時分割複信セクタスイープフレームの持続時間＋（時分割複信セクタスイープ確認フレーム計数指数＋時分割複信セクタスイープフレーム計数指数）＊短いビーム形成フレーム間間隔］。（式1−1−3）
【００８７】
式1−1−3におけるパラメータの意味および数値範囲は、式1−1−1における対応するパラメータの意味および数値範囲と同じであり、時分割複信セクタスイープフレーム計数指数が、TDD Slot内の装置Aによって送信された時分割複信セクタスイープフレームの計数値であり、時分割複信セクタスイープフレーム計数指数≧0であるところが相違している。
【００８８】
前述した式は、以下のように表現されてもよい。
【００８９】
TDD SSW Feedback frameの受信時間＝ResponderFeedbackOffset−［AckCountIndex＊TXTIME（TDD Ack）＋（SswCountIndex＋1）＊TXTIME（TDD SSWgroup）＋（SswCountIndex＋AckCountIndex）＊SBIFS］。
【００９０】
前述した3つの方法では、CountIndex≧0でかつ整数であり、AckCountIndex≧0でかつ整数である。CountIndex≧1でかつ整数であり、AckCountIndex≧0でかつ整数であれば、装置Aによって、TDD SSW Feedback frameの受信時間を決定する方法は、以下3つの方法を含むが、これに限定されない。以下の3つの方法では、式におけるパラメータの意味は前述したものと同じであり、CountIndex≧1でかつ整数であり、AckCountIndex≧0でかつ整数であるところが相違することを理解されたい。
【００９１】
すなわち、CountIndex≧1でかつ整数であり、AckCountIndex≧0でかつ整数であれば、TDD SSW Feedback frameの受信時間を決定する方法は、次の方法を含む。
【００９２】
（4）TDD SSW Feedback frameの受信時間＝応答側フィードバックオフセット−［時分割複信セクタスイープ確認フレーム計数指数＊時分割複信セクタスイープ確認フレームの持続時間＋（計数指数−時分割複信セクタスイープ確認フレーム計数指数）＊時分割複信セクタスイープフレームの持続時間＋（計数指数−1）＊短いビーム形成フレーム間間隔］。（式1−1−4）
【００９３】
式1−1−4におけるパラメータの意味および数値範囲は、式1−1−1における対応するパラメータの意味および数値範囲と同じである。
【００９４】
前述した式は、以下のように表現されてもよい。
【００９５】
TDD SSW Feedback frameの受信時間＝ResponderFeedbackOffset−［AckCountIndex＊TXTIME（TDD Ack）＋（CountIndex−AckCountIndex）＊TXTIME（TDD SSWgroup）＋（CountIndex−1）＊SBIFS］。
【００９６】
（5）TDD SSW Feedback frameの受信時間＝応答側フィードバックオフセット−［（計数指数−時分割複信セクタスイープフレーム計数指数）＊時分割複信セクタスイープ確認フレームの持続時間＋時分割複信セクタスイープフレーム計数指数＊時分割複信セクタスイープフレームの持続時間＋（計数指数−1）＊短いビーム形成フレーム間間隔］。（式1−1−5）
【００９７】
式1−1−5におけるパラメータの意味および数値範囲は、式1−1−2における対応するパラメータの意味および数値範囲と同じである。
【００９８】
前述した式は、TDD SSW Feedback frameの受信時間＝ResponderFeedbackOffset−［（CountIndex−SswCountIndex）＊TXTIME（TDD Ack）＋SswCountIndex＊TXTIME（TDD SSWgroup）＋（CountIndex−1）＊SBIFS］で表されてもよい。
【００９９】
（6）TDD SSW Feedback frameの受信時間＝応答側フィードバックオフセット−［時分割複信セクタスイープ確認フレーム計数指数＊時分割複信セクタスイープ確認フレームの持続時間＋時分割複信セクタスイープフレーム計数指数＊時分割複信セクタスイープフレームの持続時間＋（時分割複信セクタスイープ確認フレーム計数指数＋時分割複信セクタスイープフレーム計数指数−1）＊短いビーム形成フレーム間間隔］。（式1−1−6）
【０１００】
式1−1−6におけるパラメータの意味および数値範囲は、式1−1−3における対応するパラメータの意味および数値範囲と同じである。
【０１０１】
前述した式は、以下のように表現されてもよい。
【０１０２】
TDD SSW Feedback frameの受信時間＝ResponderFeedbackOffset−［AckCountIndex＊TXTIME（TDD Ack）＋（SswCountIndex）＊TXTIME（TDD SSWgroup）＋（SswCountIndex＋AckCountIndex−1）＊SBIFS］。
【０１０３】
前述した1−1−4から1−1−6までの式では、CountIndex≧1でかつ整数であり、AckCountIndex≧0でかつ整数である。本願におけるこの実施形態では、CountIndexは0から番号を付されてもよく（すなわちCountIndex≧0でかつ整数）、あるいはCountIndexは1から番号を付されてもよい（すなわちCountIndex≧1でかつ整数）ことを理解されたい。また、AckCountIndexは0から番号を付されてもよく（すなわちAckCountIndex≧0でかつ整数）、あるいはAckCountIndexは1から番号を付されてもよい（すなわちAckCountIndex≧1でかつ整数）。CountIndexおよびAckCountIndexの数値範囲が異なる場合は、式はこれに対応して変化する。例えば、式1−1−4は式1−1−1の変形であり、式1−1−5は式1−1−2の変形であり、式1−1−6は式1−1−3の変形である。CountIndexとAckCountIndexとの数値範囲が異なる場合、本願におけるこの実施形態が他の変形をさらに含むことは言うまでもない。本願におけるこの実施形態の保護範囲に含まれる他の対応する変形および具体的な変形については、ここでは詳細に説明されないことは言うまでもない。
【０１０４】
また、図2に示すように、S101は、装置Bによって、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいてTDD SSW Ack frameの受信時間を決定するステップを含む。装置Bによって、TDD SSW Ack frameの受信時間を決定する方法は、具体的には以下3つの方法を含むが、これに限定されない。
【０１０５】
（1）TDD SSW Ack frameの受信時間＝開始側確認オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］。（式1−2−1）
【０１０６】
式1−2−1におけるパラメータの意味および数値範囲は、式1−1−1における対応するパラメータの意味および数値範囲と同じであり、開始側確認オフセットは1つ以上のTDD SSW group frame内のInitiatorAckOffset subfieldの値であり、1つ以上のTDD SSW group frameが同じTX Sector IDを有し、1つ以上のTDD SSW group frameがTDD slot内で送信されるところが相違している。
【０１０７】
Wi−Fi規格では、開始側確認オフセットはInitiatorAckOffsetで表される。
【０１０８】
前述した式は、以下のように表現されてもよい。
【０１０９】
TDD SSW Ack frameの受信時間＝InitiatorAckOffset−［AckCountIndex＊TXTIME（TDD Ack）＋（CountIndex＋1−AckCountIndex）＊TXTIME（TDD SSWgroup）＋CountIndex＊SBIFS］。
【０１１０】
（2）TDD SSW Ack frameの受信時間＝開始側確認オフセット−［（計数指数−時分割複信セクタスイープフレーム計数指数）＊時分割複信セクタスイープ確認フレームの持続時間＋（時分割複信セクタスイープフレーム計数指数＋1）＊時分割複信セクタスイープフレームの持続時間＋計数指数＊短いビーム形成フレーム間間隔］。（式1−2−2）
【０１１１】
式1−2−2におけるパラメータの意味および数値範囲は、式1−1−2における対応するパラメータの意味および数値範囲と同じであり、開始側確認オフセットは1つ以上のTDD SSW group frame内のInitiatorAckOffset subfieldの値であり、1つ以上のTDD SSW group frameが同じTX Sector IDを有し、1つ以上のTDD SSW group frameがTDD slot内で送信されるところが相違している。
【０１１２】
前述した式は、以下のように表現されてもよい。
【０１１３】
TDD SSW Ack frameの受信時間＝InitiatorAckOffset−［（CountIndex−SswCountIndex）＊TXTIME（TDD Ack）＋（SswCountIndex＋1）＊TXTIME（TDD SSWgroup）＋CountIndex＊SBIFS］。
【０１１４】
（3）TDD SSW Ack frameの受信時間＝開始側確認オフセット−［時分割複信セクタスイープ確認フレーム計数指数＊時分割複信セクタスイープ確認フレームの持続時間＋（時分割複信セクタスイープフレーム計数指数＋1）＊時分割複信セクタスイープフレームの持続時間＋（時分割複信セクタスイープ確認フレーム計数指数＋時分割複信セクタスイープフレーム計数指数）＊短いビーム形成フレーム間間隔］。（式1−2−3）
【０１１５】
式1−2−3におけるパラメータの意味および数値範囲は、式1−1−3における対応するパラメータの意味および数値範囲と同じであり、開始側確認オフセットは1つ以上のTDD SSW group frame内のInitiatorAckOffset subfieldの値であり、1つ以上のTDD SSW group frameが同じTX Sector IDを有し、1つ以上のTDD SSW group frameがTDD slot内で送信されるところが相違している。
【０１１６】
前述した式は、以下のように表現されてもよい。
【０１１７】
TDD SSW Ack frameの受信時間＝InitiatorAckOffset−［AckCountIndex＊TXTIME（TDD Ack）＋（SswCountIndex＋1）＊TXTIME（TDD SSWgroup）＋（SswCountIndex＋AckCountIndex）＊SBIFS］。
【０１１８】
前述した3つの方法では、CountIndex≧0でかつ整数であり、AckCountIndex≧0でかつ整数である。本願におけるこの実施形態では、CountIndexは0から番号を付されてもよく（すなわちCountIndex≧0でかつ整数）、あるいはCountIndexは1から番号を付されてもよい（すなわちCountIndex≧1でかつ整数）ことを理解されたい。また、AckCountIndexは0から番号を付されてもよく（すなわちAckCountIndex≧0でかつ整数）、あるいはAckCountIndexは1から番号を付されてもよい（すなわちAckCountIndex≧1でかつ整数）。同様に、CountIndexおよびAckCountIndexの数値範囲が異なる場合は、TDD SSW Ack frameの受信時間を装置Bによって決定する式は、他の変形をさらに含む。本願におけるこの実施形態の保護範囲に含まれる他の対応する変形および具体的な変形については、ここでは詳細に説明されないことは言うまでもない。
【０１１９】
また、図2に示すように、S101は、装置Bによって、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいてInitiator Announce frameの受信時間を決定するステップを含む。装置Bによって、Initiator Announce frameの受信時間を決定する方法は、具体的には以下3つの方法を含むが、これに限定されない。
【０１２０】
（1）Initiator Announce frameの受信時間＝開始側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］。（式1−3−1）
【０１２１】
式1−3−1におけるパラメータの意味および数値範囲は、式1−1−1における対応するパラメータの意味および数値範囲と同じである。TDD SSW ACK frame内のEnd of Training subfieldの値が1のときは、開始側送信オフセットがInitiator Transmit Offset subfieldの値になるところが相違している。
【０１２２】
Wi−Fi規格では、開始側送信オフセットはInitiatorTransmitOffsetで表される。
【０１２３】
前述した式は、以下のように表現されてもよい。
【０１２４】
Initiator Announce frameの受信時間＝InitiatorTransmitOffset−［AckCountIndex＊TXTIME（TDD Ack）＋（CountIndex＋1−AckCountIdex）＊TXTIME（TDD SSWgroup）＋CountIndex＊SBIFS）］。
【０１２５】
（2）Initiator Announce frameの受信時間＝開始側送信オフセット−［（計数指数−時分割複信セクタスイープフレーム計数指数）＊時分割複信セクタスイープ確認フレームの持続時間＋（時分割複信セクタスイープフレーム計数指数＋1）＊時分割複信セクタスイープフレームの持続時間＋計数指数＊短いビーム形成フレーム間間隔］。（式1−3−2）
【０１２６】
式1−3−2におけるパラメータの意味および数値範囲は、式1−1−2における対応するパラメータの意味および数値範囲と同じである。TDD SSW ACK frame内のEnd of Training subfieldの値が1のときは、開始側送信オフセットがInitiator Transmit Offset subfieldの値になるところが相違している。
【０１２７】
前述した式は、以下のように表現されてもよい。
【０１２８】
Initiator Announce frameの受信時間＝InitiatorTransmitOffset−［（CountIndex−SswCountIndex）＊TXTIME（TDD Ack）＋（SswCountIndex＋1）＊TXTIME（TDD SSWgroup）＋CountIndex＊SBIFS）］。
【０１２９】
（3）Initiator Announce frameの受信時間＝開始側送信オフセット−［時分割複信セクタスイープ確認フレーム計数指数＊時分割複信セクタスイープ確認フレームの持続時間＋（時分割複信セクタスイープフレーム計数指数＋1）＊時分割複信セクタスイープフレームの持続時間＋（時分割複信セクタスイープ確認フレーム計数指数＋時分割複信セクタスイープフレーム計数指数）＊短いビーム形成フレーム間間隔］。（式1−3−3）
【０１３０】
式1−3−3におけるパラメータの意味および数値範囲は、式1−1−3における対応するパラメータの意味および数値範囲と同じである。TDD SSW ACK frame内のEnd of Training subfieldの値が1のときは、開始側送信オフセットがInitiator Transmit Offset subfieldの値になるところが相違している。
【０１３１】
前述した式は、以下のように表現されてもよい。
【０１３２】
Initiator Announce frameの受信時間＝InitiatorTransmitOffset−［AckCountIndex＊TXTIME（TDD Ack）＋（SswCountIndex＋1）＊TXTIME（TDD SSWgroup）＋（SswCountIndex＋AckCountIndex）＊SBIFS］。
【０１３３】
前述した3つの方法では、CountIndex≧0でかつ整数であり、AckCountIndex≧0でかつ整数である。本願におけるこの実施形態では、CountIndexは0から番号を付されてもよく（すなわちCountIndex≧0でかつ整数）、あるいはCountIndexは1から番号を付されてもよい（すなわちCountIndex≧1でかつ整数）ことを理解されたい。また、AckCountIndexは0から番号を付されてもよく（すなわちAckCountIndex≧0でかつ整数）、あるいはAckCountIndexは1から番号を付されてもよい（すなわちAckCountIndex≧1でかつ整数）。同様に、CountIndexおよびAckCountIndexの数値範囲が異なる場合は、装置Bによって決定するInitiator Announce frameの受信時間を決定する式は、他の変形をさらに含む。本願におけるこの実施形態の保護範囲に含まれる他の対応する変形および具体的な変形については、ここでは詳細に説明されないことは言うまでもない。
【０１３４】
また、図2に示すように、S101は、装置Aによって、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいてResponder Announce frameの受信時間を決定するステップを含む。装置Aによって、Responder Announce frameの受信時間を決定する方法は、具体的には以下3つの方法を含むが、これに限定されない。
【０１３５】
（1）Responder Announce frameの受信時間＝応答側送信オフセット−［時分割複信セクタスイープ確認フレーム計数指数＊時分割複信セクタスイープ確認フレームの持続時間＋（計数指数＋1−時分割複信セクタスイープ確認フレーム計数指数）＊時分割複信セクタスイープフレームの持続時間＋計数指数＊短いビーム形成フレーム間間隔］。（式1−4−1）
【０１３６】
式1−4−1におけるパラメータの意味および数値範囲は、式1−1−1における対応するパラメータの意味および数値範囲と同じである。TDD SSW ACK frame内のEnd of Training subfieldの値が1のときは、応答側送信オフセットがResponder Transmit Offset subfieldの値になるところが相違している。
【０１３７】
Wi−Fi規格では、応答側送信オフセットはResponderTransmitOffsetで表される。
【０１３８】
前述した式は、以下のように表現されてもよい。
【０１３９】
Responder Announce frameの受信時間＝ResponderTransmitOffset−［AckCountIndex＊TXTIME（TDD Ack）＋（CountIndex＋1−AckCountIdex）＊TXTIME（TDD SSWgroup）＋CountIndex＊SBIFS］。
【０１４０】
（2）Responder Announce frameの受信時間＝応答側送信オフセット−［（計数指数−時分割複信セクタスイープフレーム計数指数）＊時分割複信セクタスイープ確認フレームの持続時間＋（時分割複信セクタスイープフレーム計数指数＋1）＊時分割複信セクタスイープフレームの持続時間＋計数指数＊短いビーム形成フレーム間間隔］。（式1−4−2）
【０１４１】
式1−4−2におけるパラメータの意味および数値範囲は、式1−1−2における対応するパラメータの意味および数値範囲と同じである。TDD SSW ACK frame内のEnd of Training subfieldの値が1のときは、応答側送信オフセットがResponder Transmit Offset subfieldの値になるところが相違している。
【０１４２】
前述した式は、以下のように表現されてもよい。
【０１４３】
Responder Announce frameの受信時間＝ResponderTransmitOffset−［（CountIndex−SswCountIndex）＊TXTIME（TDD Ack）＋（SswCountIndex＋1）＊TXTIME（TDD SSWgroup）＋CountIndex＊SBIFS］。
【０１４４】
（3）Responder Announce frameの受信時間＝応答側送信オフセット−［時分割複信セクタスイープ確認フレーム計数指数＊時分割複信セクタスイープ確認フレームの持続時間＋（時分割複信セクタスイープフレーム計数指数＋1）＊時分割複信セクタスイープフレームの持続時間＋（時分割複信セクタスイープ確認フレーム計数指数＋時分割複信セクタスイープフレーム計数指数）＊短いビーム形成フレーム間間隔］。（式1−4−3）
【０１４５】
式1−4−3におけるパラメータの意味および数値範囲は、式1−1−3における対応するパラメータの意味および数値範囲と同じである。TDD SSW ACK frame内のEnd of Training subfieldの値が1のときは、応答側送信オフセットがResponder Transmit Offset subfieldの値になるところが相違している。
【０１４６】
前述した式は、以下のように表現されてもよい。
【０１４７】
Responder Announce frameの受信時間＝ResponderTransmitOffset−［AckCountIndex＊TXTIME（TDD Ack）＋（SswCountIndex＋1）＊TXTIME（TDD SSWgroup）＋（SswCountIndex＋AckCountIndex）＊SBIFS］。
【０１４８】
前述した3つの方法では、CountIndex≧0でかつ整数であり、AckCountIndex≧0でかつ整数である。本願におけるこの実施形態では、CountIndexは0から番号を付されてもよく（すなわちCountIndex≧0でかつ整数）、あるいはCountIndexは1から番号を付されてもよい（すなわちCountIndex≧1でかつ整数）ことを理解されたい。また、AckCountIndexは0から番号を付されてもよく（すなわちAckCountIndex≧0でかつ整数）、あるいはAckCountIndexは1から番号を付されてもよい（すなわちAckCountIndex≧1でかつ整数）。同様に、CountIndexおよびAckCountIndexの数値範囲が異なる場合は、装置AによってResponder Announce frameの受信時間を決定する式は、他の変形をさらに含む。本願におけるこの実施形態の保護範囲に含まれる他の対応する変形および具体的な変形については、ここでは詳細に説明されないことは言うまでもない。
【０１４９】
第2の可能な実施において、情報受信装置によって情報受信時間を決定するS101のステップは、時分割複信セクタスイープ確認フレーム計数指数、計数指数、および時分割複信セクタスイープフレーム計数指数のうちのいずれか2つと、時分割複信セクタスイープフィードバックフレームの持続時間、時分割複信セクタスイープフレームの持続時間、および時分割複信セクタスイープ確認フレームの持続時間とに基づいて、情報受信時間を決定するステップを含む。
【０１５０】
また、図2に示すように、S101は、装置Aによって、時分割複信セクタスイープ確認フレーム計数指数、計数指数、および時分割複信セクタスイープフレーム計数指数のうちのいずれか2つと、時分割複信セクタスイープフィードバックフレームの持続時間、時分割複信セクタスイープフレームの持続時間、および時分割複信セクタスイープ確認フレームの持続時間とに基づいてTDD SSW Feedback frameの受信時間を決定するステップを含む。装置Aによって、TDD SSW Feedback frameの受信時間を決定する方法は、具体的には以下3つの方法を含むが、これに限定されない。
【０１５１】
（1）TDD SSW Feedback frameの受信時間＝応答側フィードバックオフセット−［時分割複信セクタスイープフィードバックフレームの持続時間＋時分割複信セクタスイープ確認フレーム計数指数＊時分割複信セクタスイープ確認フレームの持続時間＋（計数指数−時分割複信セクタスイープ確認フレーム計数指数）＊時分割複信セクタスイープフレームの持続時間＋計数指数＊短いビーム形成フレーム間間隔］。（式2−1−1）
【０１５２】
式2−1−1におけるパラメータの意味および数値範囲は、式1−1−1における対応するパラメータの意味および数値範囲と同じであり、以下のパラメータが相違している。
【０１５３】
a．応答側フィードバックオフセット。図5に示すように、ResponderFeedbackOffsetの値は持続時間であって、ここで持続時間は、装置Aが第1のTDD SSW group frame／TDD SSW ACKフレームの送信を終了したときの時間から、装置BがTDD SSW Feedback frameをフィードバックしたときの開始時間までの持続時間と、TDD SSW Feedback frameの持続時間との合計に設定される。TDD SSW Feedback frameの持続時間は、TDD SSW Feedback frameに対応するPHY層PPDUの持続時間である。また、全TDD SSW frame中のResponder Feedback Offsetフィールドの値は同じであり、すなわち後続の各TDD SSW frame内のResponder Feedback Offsetフィールドの値は、「装置Aが第1のTDD SSW group frame／TDD SSW ACKフレームの送信を終了した時間から、装置BがTDD SSW Feedback frameをフィードバックした開始時間までの持続時間と、TDD SSW Feedback frameの持続時間」との合計に設定される。
【０１５４】
b．時分割複信セクタスイープフィードバックフレームの持続時間。時分割複信セクタスイープフィードバックフレームの持続時間は、TDD SSW Feedback frameに対応するPHY層PPDUの持続時間である。
【０１５５】
前述した式は、以下のように表現されてもよい。
【０１５６】
TDD SSW Feedback frameの受信時間＝ResponderFeedbackOffset−［TXTIME（TDD Feedback）＋AckCountIndex＊TXTIME（TDD Ack）＋（CountIndex−AckCountIdex）＊TXTIME（TDD SSWgroup）＋CountIndex＊SBIFS］。
【０１５７】
（2）TDD SSW Feedback frameの受信時間＝応答側フィードバックオフセット−［時分割複信セクタスイープフィードバックフレームの持続時間＋（計数指数−時分割複信セクタスイープフレーム計数指数）＊時分割複信セクタスイープ確認フレームの持続時間＋時分割複信セクタスイープフレーム計数指数＊時分割複信セクタスイープフレームの持続時間＋計数指数＊短いビーム形成フレーム間間隔］。（式2−1−2）
【０１５８】
式2−1−2におけるパラメータの意味および数値範囲は、式1−1−2における対応するパラメータの意味および数値範囲と同じであり、以下のパラメータが相違している。
【０１５９】
a．応答側フィードバックオフセット。図5に示すように、ResponderFeedbackOffsetの値は持続時間であって、持続時間は、装置Aが第1のTDD SSW group frame／TDD SSW ACKフレームの送信を終了したときの時間から、装置BがTDD SSW Feedback frameをフィードバックしたときの開始時間までの持続時間と、TDD SSW Feedback frameの持続時間との合計である。TDD SSW Feedback frameの持続時間は、TDD SSW Feedback frameに対応するPHY層PPDUの持続時間である。
【０１６０】
b．時分割複信セクタスイープフィードバックフレームの持続時間。時分割複信セクタスイープフィードバックフレームの持続時間は、TDD SSW Feedback frameに対応するPHY層PPDUの持続時間である。
【０１６１】
前述した式は、以下のように表現されてもよい。
【０１６２】
TDD SSW Feedback frameの受信時間＝ResponderFeedbackOffset−［TXTIME（TDD Feedback）＋（CountIndex−SswCountIndex）＊TXTIME（TDD Ack）＋SswCountIndex＊TXTIME（TDD SSWgroup）＋Count Index＊SBIFS］。
【０１６３】
（3）TDD SSW Feedback frameの受信時間＝応答側フィードバックオフセット−［時分割複信セクタスイープフィードバックフレームの持続時間＋時分割複信セクタスイープ確認フレーム計数指数＊時分割複信セクタスイープ確認フレームの持続時間＋時分割複信セクタスイープフレーム計数指数＊時分割複信セクタスイープフレームの持続時間＋（時分割複信セクタスイープ確認フレーム計数指数＋時分割複信セクタスイープフレーム計数指数）＊短いビーム形成フレーム間間隔］。（式2−1−3）
【０１６４】
式2−1−3におけるパラメータの意味および数値範囲は、式1−1−3における対応するパラメータの意味および数値範囲と同じであり、以下のパラメータが相違している。
【０１６５】
a．応答側フィードバックオフセット。図5に示すように、ResponderFeedbackOffsetの値は持続時間であって、持続時間は、装置Aが第1のTDD SSW group frame／TDD SSW ACKフレームの送信を終了したときの時間から、装置BがTDD SSW Feedback frameをフィードバックしたときの開始時間までの持続時間と、TDD SSW Feedback frameの持続時間との合計である。TDD SSW Feedback frameの持続時間は、TDD SSW Feedback frameに対応するPHY層PPDUの持続時間である。
【０１６６】
b．時分割複信セクタスイープフィードバックフレームの持続時間。時分割複信セクタスイープフィードバックフレームの持続時間は、TDD SSW Feedback frameに対応するPHY層PPDUの持続時間である。
【０１６７】
前述した式は、以下のように表現されてもよい。
【０１６８】
TDD SSW Feedback frameの受信時間＝ResponderFeedbackOffset−［TXTIME（TDD Feedback）＋AckCountIndex＊TXTIME（TDD Ack）＋SswCountIndex＊TXTIME（TDD SSWgroup）＋（SswCountIndex＋AckCountIndex）＊SBIFS］。
【０１６９】
前述した3つの方法では、CountIndex≧0でかつ整数であり、AckCountIndex≧0でかつ整数である。本願におけるこの実施形態では、CountIndexは0から番号を付されてもよく（すなわちCountIndex≧0でかつ整数）、あるいはCountIndexは1から番号を付されてもよい（すなわちCountIndex≧1でかつ整数）ことを理解されたい。また、AckCountIndexは0から番号を付されてもよく（すなわちAckCountIndex≧0でかつ整数）、あるいはAckCountIndexは1から番号を付されてもよい（すなわちAckCountIndex≧1でかつ整数）。CountIndexおよびAckCountIndexの数値範囲が異なる場合は、式2−1−1、2−1−2、および2−1−3はこれに対応して変化する。本願におけるこの実施形態の保護範囲に含まれる対応する変形および具体的な変形については、ここでは詳細に説明されないことは言うまでもない。
【０１７０】
第2の可能な実施におけるInitiatorAckOffset／InitiatorTransmitOffset／ResponderTransmitOffsetの設定と、第1の可能な実施におけるInitiatorAckOffset／InitiatorTransmitOffset／ResponderTransmitOffsetの設定との相違が、第2の可能な実施におけるResponderFeedbackOffsetの設定と、第1の可能な実施におけるResponderFeedbackOffsetの設定との相違（すなわち図5と図4との相違）と同じである場合は、装置BによってTDD SSW Ack frameの受信時間を決定する式、装置BによってInitiator Announce frameを決定する式、および装置AによってResponder Announce frameを決定する式の変形については、式2−1−1、式2−1−2、および式2−1−3を参照されたく、ここで詳細な説明はされない。
【０１７１】
第3の可能な実施において、情報受信装置によって情報受信時間を決定するS101のステップは時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、情報受信時間を決定するステップを含む。
【０１７２】
また、図2に示すように、S101は、装置Aによって、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいてTDD SSW Feedback frameの受信時間を決定するステップを含む。装置Aによって、TDD SSW Feedback frameの受信時間を決定する方法は、具体的には以下3つの方法を含むが、これに限定されない。
【０１７３】
（1）TDD SSW Feedback frameの受信時間＝応答側フィードバックオフセット−［時分割複信セクタスイープ確認フレーム計数指数＊時分割複信セクタスイープ確認フレームの持続時間＋（計数指数−時分割複信セクタスイープ確認フレーム計数指数）＊時分割複信セクタスイープフレームの持続時間＋計数指数＊短いビーム形成フレーム間間隔］。（式3−1−1）
【０１７４】
式3−1−1におけるパラメータの意味および数値範囲は、式1−1−1における対応するパラメータの意味および数値範囲と同じであり、以下のパラメータが相違している。
【０１７５】
a．応答側フィードバックオフセット。図6に示すように、ResponderFeedbackOffsetの値は持続時間であり、持続時間は、装置Aが第1のTDD SSW group frame／TDD SSW ACKフレームの送信を終了したときの時間から、装置BがTDD SSW Feedback frameをフィードバックしたときの開始時間までに設定される。また、全TDD SSW frame中のResponder Feedback Offsetフィールドの値は同じであり、すなわち後続の各TDD SSW frame内のResponder Feedback Offsetフィールドの値は、「装置Aが第1のTDD SSW group frame／TDD SSW ACKフレームの送信を終了した時間から、装置BがTDD SSW Feedback frameをフィードバックした開始時間までの持続時間」に設定される。
【０１７６】
b．時分割複信セクタスイープフィードバックフレームの持続時間。時分割複信セクタスイープフィードバックフレームの持続時間は、TDD SSW Feedback frameに対応するPHY層PPDUの持続時間である。
【０１７７】
前述した式は、以下のように表現されてもよい。
【０１７８】
TDD SSW Feedback frameの受信時間＝ResponderFeedbackOffset−［AckCountIndex＊TXTIME（TDD Ack）＋（CountIndex−AckCountIdex）＊TXTIME（TDD SSWgroup）＋CountIndex＊SBIFS］。
【０１７９】
（2）TDD SSW Feedback frameの受信時間＝応答側フィードバックオフセット−［（計数指数−時分割複信セクタスイープフレーム計数指数）＊時分割複信セクタスイープ確認フレームの持続時間＋時分割複信セクタスイープフレーム計数指数＊時分割複信セクタスイープフレームの持続時間＋計数指数＊短いビーム形成フレーム間間隔］。（式3−1−2）
【０１８０】
式3−1−2におけるパラメータの意味および数値範囲は、式1−1−2における対応するパラメータの意味および数値範囲と同じであり、以下のパラメータが相違している。
【０１８１】
a．応答側フィードバックオフセット。図6に示すように、ResponderFeedbackOffsetの値は持続時間であって、持続時間は、装置AがTDD SSW group frame／TDD SSW ACKフレームの送信を終了したときの時間から、装置BがTDD SSW Feedback frameをフィードバックしたときの開始時間までの持続時間である。
【０１８２】
b．時分割複信セクタスイープフィードバックフレームの持続時間。時分割複信セクタスイープフィードバックフレームの持続時間は、TDD SSW Feedback frameに対応するPHY層PPDUの持続時間である。
【０１８３】
前述した式は、以下のように表現されてもよい。
【０１８４】
TDD SSW Feedback frameの受信時間＝ResponderFeedbackOffset−［（CountIndex−SswCountIndex）＊TXTIME（TDD Ack）＋SswCountIndex＊TXTIME（TDD SSWgroup）＋Count Index＊SBIFS］。
【０１８５】
（3）TDD SSW Feedback frameの受信時間＝応答側フィードバックオフセット−［時分割複信セクタスイープ確認フレーム計数指数＊時分割複信セクタスイープ確認フレームの持続時間＋時分割複信セクタスイープフレーム計数指数＊時分割複信セクタスイープフレームの持続時間＋（時分割複信セクタスイープ確認フレーム計数指数＋時分割複信セクタスイープフレーム計数指数）＊短いビーム形成フレーム間間隔］。（式3−1−3）
【０１８６】
式3−1−3におけるパラメータの意味および数値範囲は、式1−1−3における対応するパラメータの意味および数値範囲と同じであり、以下のパラメータが相違している。
【０１８７】
a．応答側フィードバックオフセット。図6に示すように、ResponderFeedbackOffsetの値は持続時間であって、持続時間は、装置Aが第1のTDD SSW group frame／TDD SSW ACKフレームの送信を終了したときの時間から、装置BがTDD SSW Feedback frameをフィードバックしたときの開始時間までの持続時間である。
【０１８８】
b．時分割複信セクタスイープフィードバックフレームの持続時間。時分割複信セクタスイープフィードバックフレームの持続時間は、TDD SSW Feedback frameに対応するPHY層PPDUの持続時間である。
【０１８９】
前述した式は、以下のように表現されてもよい。
【０１９０】
TDD SSW Feedback frameの受信時間＝ResponderFeedbackOffset−［AckCountIndex＊TXTIME（TDD Ack）＋（SswCountIndex）＊TXTIME（TDD SSWgroup）＋（SswCountIndex＋AckCountIndex）＊SBIFS］。
【０１９１】
前述した3つの方法では、CountIndex≧0でかつ整数であり、AckCountIndex≧0でかつ整数である。本願におけるこの実施形態では、CountIndexは0から番号を付されてもよく（すなわちCountIndex≧0でかつ整数）、あるいはCountIndexは1から番号を付されてもよい（すなわちCountIndex≧1でかつ整数）ことを理解されたい。また、AckCountIndexは0から番号を付されてもよく（すなわちAckCountIndex≧0でかつ整数）、あるいはAckCountIndexは1から番号を付されてもよい（すなわちAckCountIndex≧1でかつ整数）。CountIndexおよびAckCountIndexの数値範囲が異なる場合は、式3−1−1、3−1−2、および3−1−3はこれに対応して変化する。本願におけるこの実施形態の保護範囲に含まれる対応する変形および具体的な変形については、ここでは詳細に説明されないことは言うまでもない。
【０１９２】
第3の可能な実施におけるInitiatorAckOffset／InitiatorTransmitOffset／ResponderTransmitOffsetの設定と、第2の可能な実施におけるInitiatorAckOffset／InitiatorTransmitOffset／ResponderTransmitOffsetの設定との相違が、第3の可能な実施におけるResponderFeedbackOffsetの設定と、第2の可能な実施におけるResponderFeedbackOffsetの設定との相違（すなわち図6と図5との相違）と同じである場合は、装置BによってTDD SSW Ack frameの受信時間を決定する式、装置BによってInitiator Announce frameを決定する式、および装置AによってResponder Announce frameを決定する式の変形については、式3−1−1、式3−1−2、および式3−1−3を参照されたく、ここで詳細な説明はされない。
【０１９３】
S102．情報受信装置は、決定した情報受信時間で情報を受信する。
【０１９４】
S102において、情報受信装置は、決定した情報受信時間で情報を受信する。例えば、装置Aは、S101で決定されたTDD SSW Feedback frameの受信時間でTDD SSW Feedback frameを受信する。例えば、装置Bは、S101で決定されたTDD SSW ACKフレームの受信時間でTDD SSW ACKフレームを受信する。他のフレームについても同様である。
【０１９５】
前述した情報受信方法に対応して、本願における実施形態は、情報送信方法をさらに提供する。図3に示すように、情報送信方法は以下のステップを含む。
【０１９６】
S201．情報送信装置は情報送信時間を決定する。
【０１９７】
S201とS101とは互いに対応している。例えば、装置BによってTDD SSW Feedback frameの送信時間を決定する方法は、装置AによってTDD SSW Feedback frameの受信時間を決定する方法であり、装置AによってTDD SSW Ack frameの送信時間を決定する方法は、装置BによってTDD SSW Ack frameの受信時間を決定する方法であり、装置AによってInitiator Announce frameの送信時間を決定する方法は、装置BによってInitiator Announce frameの受信時間を決定する方法であり、装置AによってResponder Announce frameの受信時間を決定する方法は、装置BによってResponder Announce frameの送信時間を決定する方法である。
【０１９８】
S101の内容はすべて、S201を説明するためにここで引用することができる。具体的な内容についてここで再度説明はされない。
【０１９９】
S202．情報送信装置は、決定した情報送信時間で情報を送信する。
【０２００】
S202において、装置Bは、S201で決定されたTDD SSW Feedback frameの送信時間でTDD SSW Feedback frameを送信する。例えば、装置Aは、S201で決定されたTDD SSW ACKフレームの送信時間でTDD SSW ACKフレームを送信する。他のフレームについても同様である。
【０２０１】
本願における実施形態で提供される情報受信／送信方法によれば、情報送信装置は正確な情報送信時間で情報を送信でき、情報受信装置は正確な情報受信時間で情報を受信でき、システム通信を正常に行うことができる。
【０２０２】
本願における実施形態は、情報受信装置と情報送信装置とをさらに提供する。
【０２０３】
図7は、本願における実施形態による、情報受信／送信装置を示す。本願におけるこの実施形態の情報受信装置は、前述した方法における情報受信装置の任意の機能を有し、本願におけるこの実施形態の情報送信装置は、前述した方法における情報送信装置の任意の機能を有することを理解されたい。
【０２０４】
図7に示すように、情報受信装置は、処理モジュール101と、送受信モジュール102とを備える。
【０２０５】
処理モジュール101は、情報の受信時間を決定するように構成される。
【０２０６】
情報は、TDD SSW Feedback frameと、TDD SSW Ack frameと、Initiator Announce frameと、Responder Announce frameとを含む。
【０２０７】
情報がTDD SSW Feedback frameのとき、情報受信装置は図2の装置Aである。
【０２０８】
情報がTDD SSW Ack frameのとき、情報受信装置は図2の装置Bである。
【０２０９】
情報がInitiator Announce frameのとき、情報受信装置は図2の装置Bである。
【０２１０】
情報がResponder Announce frameのとき、情報受信装置は図2の装置Aである。
【０２１１】
送受信モジュール102は、決定した情報受信時間で情報を受信するように構成される。
【０２１２】
図2に示すように、受信装置Aの処理モジュール101によって決定されたTDD SSW Feedback frameの受信時間で、装置Aの受信モジュール102はTDD SSW Feedback frameを受信する。
【０２１３】
図2に示すように、受信装置Bの処理モジュール101によって決定されたTDD SSW Ack frameの受信時間で、装置Bの受信モジュール102はTDD SSW Ack frameを受信する。
【０２１４】
図2に示すように、受信装置Bの処理モジュール101によって決定されたInitiator Announce frameの受信時間で、装置Bの受信モジュール102はInitiator Announce frameを受信する。
【０２１５】
図2に示すように、受信装置Aの処理モジュール101によって決定されたResponder Announce frameの受信時間で、装置Aの受信モジュール102はResponder Announce frameを受信する。
【０２１６】
図7に示すように、情報送信装置は、処理モジュール101と、送受信モジュール102とを備える。
【０２１７】
処理モジュール101は、情報の送信時間を決定するように構成される。
【０２１８】
情報は、TDD SSW Feedback frameと、TDD SSW Ack frameと、Initiator Announce frameと、Responder Announce frameとを含む。
【０２１９】
情報がTDD SSW Feedback frameのとき、情報送信装置は図2の装置Bである。
【０２２０】
情報がTDD SSW Ack frameのとき、情報送信装置は図2の装置Aである。
【０２２１】
情報がInitiator Announce frameのとき、情報送信装置は図2の装置Aである。
【０２２２】
情報がResponder Announce frameのとき、情報送信装置は図2の装置Bである。
【０２２３】
送受信モジュール102は、決定した情報送信時間で情報を送信するように構成される。
【０２２４】
図2に示すように、送信装置Bの処理モジュール101によって決定されたTDD SSW Feedback frameの送信時間で、装置Bの送信モジュール102はTDD SSW Feedback frameを送信する。
【０２２５】
図2に示すように、送信装置Aの処理モジュール101によって決定されたTDD SSW Ack frameの送信時間で、装置Aの送信モジュール102はTDD SSW Ack frameを送信する。
【０２２６】
図2に示すように、送信装置Aの処理モジュール101によって決定されたInitiator Announce frameの送信時間で、装置Aの送信モジュール102はInitiator Announce frameを送信する。
【０２２７】
図2に示すように、送信装置Bの処理モジュール101によって決定されたResponder Announce frameの送信時間で、装置Bの送信モジュール102はResponder Announce frameを送信する。
【０２２８】
本願における実施形態で提供される情報受信装置／送信装置によれば、情報送信装置は正確な情報送信時間で情報を送信でき、情報受信装置は正確な情報受信時間で情報を受信でき、システム通信を正常に行うことができる。
【０２２９】
本願における実施形態で提供される情報受信装置／送信装置は、複数の種類の製品形態で実施されてもよい。例えば、情報受信装置／送信装置は、汎用処理システムとして構成されてもよい。例えば、情報受信装置／送信装置は、汎用バスアーキテクチャを使用して実施されてもよい。例えば、情報受信装置／送信装置は、ASIC（特定用途向け集積回路）などを使用して実施されてもよい。以下、本願における実施形態の、情報受信装置／送信装置のいくつかの可能な製品形態を提供する。以下の説明は単なる例であり、本願における実施形態の可能な製品形態を限定するものではないことを理解されたい。
【０２３０】
図8は、本願における実施形態による、情報受信装置／送信装置の可能な製品形態の構造図である。
【０２３１】
可能な製品形態において、情報受信装置／送信装置は、情報受信装置／送信デバイスであってもよく、情報受信装置／送信デバイスは、プロセッサ902と、送受信機904／送受信機インターフェース904とを備える。任意で、情報受信装置／送信デバイスは、記憶媒体903をさらに備えてもよい。
【０２３２】
別の可能な製品形態において、情報受信装置／送信装置は、情報受信装置／送信ボードであってもよく、情報受信装置／送信ボードは、プロセッサ902と、送受信機904／送受信機インターフェース904とを備える。任意で、情報受信装置／送信ボードは、記憶媒体903をさらに備えてもよい。
【０２３３】
別の可能な製品形態では、情報受信装置／送信装置は汎用プロセッサによっても実施され、具体的には、通称チップによって実施される。汎用プロセッサは、プロセッサ902と、送受信機インターフェース904とを備える。任意で、汎用プロセッサは、記憶媒体903をさらに備えてもよい。
【０２３４】
別の可能な製品形態では、情報受信装置／送信装置は、1つ以上のFPGA（フィールドプログラマブルゲートアレイ）、PLD（プログラマブル論理デバイス）、コントローラ、ステートマシン、ゲート論理、個別のハードウェア構成部品、その他任意の適切な回路、または本願を通じて説明したさまざまな機能を実行できる回路の任意の組合せを使用して実施されてもよい。
【０２３５】
当業者であれば、本方法の実施形態のステップのすべてまたは一部は、関連するハードウェアに命令するプログラムによって実装され得ることが理解されよう。プログラムは、コンピュータ可読記憶媒体に記憶されてもよい。プログラムが実行されると、本方法の実施形態のステップが実行される。前述の記憶媒体には、ROM、RAM、磁気ディスク、光ディスク等の、プログラムコードを記憶可能なさまざまな媒体が含まれる。
【０２３６】
図9は、TDD SSW frame format（TDD individual BF）を示し、これはTDD SSW frame format for TDD SU BFとも呼ばれる。
【０２３７】
図9に示すように、End of Training subfieldの値を1に設定することによって、initiatorは、対応するresponderが残りのTDD SSW frameの送信を終了した後に、TDD beamforming trainingを終了するように命令し得る。図4に示すように、先行技術（TDD individual BF）では、initiatorは単一のユーザとともにTDD beamforming trainingを実行し、その結果、TDD SSW frame内のTDD BF Control fieldの1bitのみが、End of Trainingを示すのに使用されることを必要とする。しかしながら、提供されたTDD group BFの場合、同じTDD SSW slot内でinitiatorによって送信されたTDD SSW frameは、複数のユーザ（responder）によって受信されるため、trainingを終了するかどうかを各responderに個別に命令することが必要になる。この問題を解決するために、2つの解決策が提供される。
【０２３８】
解決策1：responderとのtrainingを終了するかどうかを命令するために、各responderに指示フィールドが導入される。TDD SSW frame構造に対する具体的な修正については、図1を参照されたい。各responderに対して、responderのResponder Info subfieldに指示フィールドが導入される。例えば、指示フィールドは、1bitフィールド、または多bitフィールドであってもよい。
【０２３９】
解決策2：解決策1とは異なり、End of Trainingを指示するために各responderに1bitは導入されないが、Responder IDを設定することによって指示機能が達成される。具体的には、各responderに2つのResponder IDが割り当てられ、2つのResponder IDは、説明を簡単にするためにRID 1およびRID 2と呼ばれる。initiatorがtrainingを終了しようとしない場合は、TDD SSW frame内のResponder ID subfieldの値はRID 1を使用する。initiatorがtrainingを終了しようとしている場合は、TDD SSW frame内のResponder ID subfieldの値はRID 2を使用する。この方法によれば、responderは、Responder ID subfieldの内容のみを識別することによって、trainingを終了するかどうかを知ることができる。
【０２４０】
また、受信端がTDD SSW frameを受信しない場合は、受信端は、受信端のすべての受信セクタで受信スイープを実行し、TDD SSW frameを受信する確率を高めるために、各受信セクタに一定時間滞留しなければならない。滞留時間の値は、SectorDwellTimeを使用して設定される。先行技術（TDD individual BF）では、SectorDwellTimeの値は［2 x  TXTIME（TDD SSWIndividual）＋SBIFS］に設定され、ここでTDD SSWIndividualはTDD individual BF中のTDD SSWの時間である。提案したTDD group BFでは、responderの数が増加したことにより、TDD SSWの時間も増加している。この場合、以前のSectorDwellTime設定方法がまだ使用されていれば、受信端がTDD SSW frameを受信する確率は低くなる場合がある。この問題を解決するために、2つの解決策が提供される。
【０２４１】
解決策1：SectorDwellTimeの値が［3 or more x  TXTIME（TDD SSWIndividual）＋SBIFS］に設定され、ここでTDD SSWIndividualは、TDD individual BF内のTDD SSWの時間である。
【０２４２】
解決策2：まず、SectorDwellTimeは［2 x  TXTIME（TDD SSWIndividual）＋SBIFS］のままに設定されており、次に、TDD SSW frameが受信されない場合は、SectorDwellTimeが（直線的または非直線的に）徐々に拡大して、特定の範囲まで拡大してから拡大を停止する、あるいは特定の範囲まで拡大した後に縮小を開始する。本明細書の「および／または」という用語は、説明されている関連する対象物の対応関係のみを述べており、3つの関連性が存在してもよいことを表していることを理解されたい。例えば、Aおよび／またはBとは、Aのみが存在する事例、AとBとの両方が存在する事例、およびBのみが存在する事例の3つの事例を表してもよい。また、本明細書における文字「／」は、通常は関連する対象物間の「または」の関係を示す。
【０２４３】
本明細書に開示された実施形態を参照して説明される方法ステップおよびユニットは、電子ハードウェア、コンピュータソフトウェア、またはそれらの組み合わせによって実施できることは、当業者であれば認識することができる。ハードウェアとソフトウェアとの間の互換性を明確に説明するために、上述において、機能に従って各実施形態のステップおよび組成を一般的に説明した。機能がハードウェアまたはソフトウェアで実行されるかどうかは、技術的解決策の特定の用途および設計の制約による。当業者であれば、各特定用途に、説明した機能を実施するために異なる方法を用いることができるが、この実施が本願の範囲を逸脱すると考えられるべきではない。
【０２４４】
簡便かつ簡潔に説明しやすくするために、前述のシステム、装置、およびユニットの詳細な作業工程については、前述の方法の実施形態の対応する工程を参照されたく、ここでは再度詳細に説明されないことが、当業者には理解されよう。
【０２４５】
本願で提供されるいくつかの実施形態において、開示されたシステム、装置、および方法は、別の方法で実施されてもよいことが理解されるべきである。例えば、説明した装置の実施形態は、単なる一例である。例えば、ユニット分割は、単なる論理的機能分割であって、実際の実装においては他の分割であってもよい。例えば、複数のユニットまたは構成要素が、別のシステムと組み合わせられるか、またはこれと一体化されてもよく、あるいはいくつかの特徴は、無視するかまたは実行しなくてもよい。また、示されるかあるいは論じられた、相互結合または直接結合もしくは通信接続は、いくつかのインターフェースを用いて実施されてもよく、装置またはユニット間の間接結合または通信接続は、電気接続、機械結合、その他の形態の結合であってもよい。
【０２４６】
個別の部分として説明されたユニットは、物理的に分離していても分離していなくてもよく、また、ユニットとして示された部分は、物理的ユニットであってもそうでなくてもよく、1つの位置に配置されても、複数のネットワークユニット上に分散していてもよい。本願における実施形態の解決策の目的を達成するために、実際の要求に基づいてユニットの一部または全体を選択してもよい。
【０２４７】
また、本願における実施形態の機能ユニットは、1つの処理ユニットに一体化されてもよく、またはユニットのそれぞれが単独で物理的に存在してもよく、または2つ以上のユニットが1つのユニットに一体化されてもよい。一体化されたユニットは、ハードウェアの形態で実装されてもよく、またはソフトウェアの機能ユニットの形態で実装されてもよい。
【０２４８】
一体型ユニットが、ソフトウェアの機能ユニットの形態で実装され、独立した製品として販売または使用される場合、この一体型ユニットは、コンピュータ可読記憶媒体に記憶されてもよい。このような理解に基づいて、本質的に、または部分的に従来技術に寄与する本願の技術的解決策、あるいは技術的解決策の全部または一部は、ソフトウェア製品の形態で実装されてもよい。コンピュータソフトウェア製品は、記憶媒体に記憶され、本願における実施形態で説明された方法のステップの全部または一部を実行するように、コンピュータ機器（例えば、パーソナルコンピュータ、サーバ、ネットワーク機器などであってもよい）に指示する、いくつかの命令を含んでいる。前述の記憶媒体には、USBフラッシュドライブ、着脱式ハードディスク、読み出し専用メモリ（read−only memory，ROM）、ランダムアクセスメモリ（random access memory，RAM）、磁気ディスク、またはコンパクトディスク等、プログラムコードを記憶できる任意の媒体が含まれる。
【０２４９】
前述した説明は、単に本願の具体的な実施形態の特定の例であって、本願の保護の範囲を限定することを意図するものではない。本願で開示されている技術的範囲内で、当業者が容易に思いつく任意の等価の修正または置き換えは、本願の保護の範囲内に入るものとする。したがって、本願の保護範囲は、特許請求の範囲の保護範囲によって決まるものとする。
【符号の説明】
【０２５０】
101  処理モジュール
102  送受信モジュール、送信モジュール、受信モジュール
902  プロセッサ
903  記憶媒体
904  送受信機、送受信機インターフェース
【図１】
2021513273.tif 000003
【図２】
2021513273.tif 000004
【図３】
2021513273.tif 000005
【図４】
2021513273.tif 000006
【図５】
2021513273.tif 000007
【図６】
2021513273.tif 000008
【図７】
2021513273.tif 000009
【図８】
2021513273.tif 000010
【図９】
2021513273.tif 000011
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
情報受信時間を決定するステップと、
前記決定した情報受信時間で情報を受信するステップと
を含む、情報受信方法。
【請求項２】
情報受信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報受信時間を決定するステップを含む、請求項1に記載の方法。
【請求項３】
情報受信時間を決定する前記ステップが、
前記情報受信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報受信時間＝事前設定オフセット
を含む、請求項2に記載の方法。
【請求項４】
前記情報が、時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に開始側によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項５】
前記情報が、時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレームのうちのResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項3に記載の方法。
【請求項６】
情報受信時間を決定する前記ステップが、時分割複信セクタスイープ確認フレーム計数指数、計数指数、および時分割複信セクタスイープフレーム計数指数のうちのいずれか2つと、時分割複信セクタスイープフィードバックフレームの持続時間、時分割複信セクタスイープフレームの持続時間、および時分割複信セクタスイープ確認フレームの持続時間とに基づいて前記情報受信時間を決定するステップを含む、請求項1に記載の方法。
【請求項７】
前記情報が、前記時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［前記時分割複信セクタスイープフィードバックフレームの前記持続時間＋（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までの持続時間に設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの前記持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項6に記載の方法。
【請求項８】
情報受信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報受信時間を決定するステップを含む、請求項1に記載の方法。
【請求項９】
前記情報が、時分割複信セクタスイープフィードバックフレームであり、前記時分割複信セクタスイープフィードバックフレームの受信時間を決定する前記ステップが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までに設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項8に記載の方法。
【請求項１０】
前記情報が、時分割複信セクタスイープ確認フレームであり、前記時分割複信セクタスイープ確認フレームの受信時間を決定する前記ステップが具体的には、
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記受信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項１１】
前記情報が開始側告知フレームであり、前記開始側告知フレームの受信時間を決定する前記ステップが具体的には、
前記開始側告知フレームの前記受信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項１２】
前記情報が応答側告知フレームであり、前記応答側告知フレームの受信時間を決定する前記ステップが具体的には、
前記応答側告知フレームの前記受信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記受信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記受信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項3に記載の方法。
【請求項１３】
情報送信時間を決定するステップと、
前記決定した情報送信時間で情報を送信するステップと
を含む、情報送信方法。
【請求項１４】
情報送信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報送信時間を決定するステップを含む、請求項13に記載の方法。
【請求項１５】
情報送信時間を決定する前記ステップが、
前記情報送信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報送信時間＝事前設定オフセット
を含む、請求項14に記載の方法。
【請求項１６】
前記情報が、時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項１７】
前記情報が、時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項15に記載の方法。
【請求項１８】
情報送信時間を決定する前記ステップが、時分割複信セクタスイープ確認フレーム計数指数、計数指数、および時分割複信セクタスイープフレーム計数指数のうちのいずれか2つと、時分割複信セクタスイープフィードバックフレームの持続時間、時分割複信セクタスイープフレームの持続時間、および時分割複信セクタスイープ確認フレームの持続時間とに基づいて前記情報送信時間を決定するステップを含む、請求項13に記載の方法。
【請求項１９】
前記情報が、前記時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの受信時間＝応答側フィードバックオフセット−［前記時分割複信セクタスイープフィードバックフレームの前記持続時間＋（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープフィードバックフレームの前記持続時間＋前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までに設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの前記持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項18に記載の方法。
【請求項２０】
情報送信時間を決定する前記ステップが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報送信時間を決定するステップを含む、請求項13に記載の方法。
【請求項２１】
前記情報が、時分割複信セクタスイープフィードバックフレームであり、前記時分割複信セクタスイープフィードバックフレームの送信時間を決定する前記ステップが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットが持続時間であり、前記持続時間が、送信端が第1のTDD SSW group frame／TDD SSW ACKフレームの送信を終了した時間から、受信端がTDD SSW Feedback frameをフィードバックする開始時間までに設定され、全TDD SSW frame中のResponder Feedback Offsetフィールドの値が同じであり、
前記時分割複信セクタスイープ確認フレーム計数指数が、現在の時分割複信セクタスイープフレームが受信される前に前記送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープ確認フレームの前記持続時間が、前記時分割複信セクタスイープ確認フレームに対応するPHY層PPDUの持続時間であり、
前記時分割複信セクタスイープフィードバックフレームの持続時間が、前記TDD SSW Feedback frameに対応するPHY層PPDUの持続時間であり、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
CountIndex≧0でかつ整数であり、AckCountIndex≧0でかつ整数である、
請求項20に記載の方法。
【請求項２２】
前記情報が、時分割複信セクタスイープ確認フレームであり、前記時分割複信セクタスイープ確認フレームの送信時間を決定する前記ステップが具体的には、
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記送信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項２３】
前記情報が開始側告知フレームであり、前記開始側告知フレームの送信時間を決定する前記ステップが具体的には、
前記開始側告知フレームの前記送信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項２４】
前記情報が応答側告知フレームであり、前記応答側告知フレームの送信時間を決定する前記ステップが具体的には、
前記応答側告知フレームの前記送信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記送信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記送信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項15に記載の方法。
【請求項２５】
情報受信時間を決定するように構成された処理モジュールと、
前記決定した情報受信時間で情報を受信するように構成された送受信モジュールと、
を備える、情報受信装置。
【請求項２６】
前記処理モジュールが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報受信時間を決定するように特に構成される、請求項25に記載の情報受信装置。
【請求項２７】
前記情報受信時間を決定することが、
前記情報受信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報受信時間＝事前設定オフセット
を含む、請求項26に記載の情報受信装置。
【請求項２８】
前記情報が、時分割複信セクタスイープフィードバックフレームであり、前記時分割複信セクタスイープフィードバックフレームの受信時間を決定することが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項２９】
前記情報が、時分割複信セクタスイープフィードバックフレームであり、前記時分割複信セクタスイープフィードバックフレームの受信時間を決定することが具体的には、
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記受信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記受信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項27に記載の情報受信装置。
【請求項３０】
前記情報が、時分割複信セクタスイープ確認フレームであり、前記時分割複信セクタスイープ確認フレームの受信時間を決定することが具体的には、
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記受信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記受信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項３１】
前記情報が開始側告知フレームであり、前記開始側告知フレームの受信時間を決定することが具体的には、
前記開始側告知フレームの前記受信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記受信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項３２】
前記情報が応答側告知フレームであり、前記応答側告知フレームの受信時間を決定することが具体的には、
前記応答側告知フレームの前記受信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記受信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記受信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項27に記載の情報受信装置。
【請求項３３】
情報送信時間を決定するように構成された処理モジュールと、
前記決定した情報送信時間で情報を送信するように構成された送受信モジュールと、
を備える、情報送信装置。
【請求項３４】
前記処理モジュールが、時分割複信セクタスイープ確認フレーム計数指数、計数指数、時分割複信セクタスイープフレーム計数指数のうちのいずれか2つと、時分割複信セクタスイープフレームの持続時間、および時分割複信セクタスイープ確認フレームの持続時間とに基づいて、前記情報送信時間を決定するように特に構成される、請求項33に記載の情報送信装置。
【請求項３５】
前記情報送信時間を決定することが、
前記情報送信時間＝事前設定オフセット−（一定の時間内に送信されたフレームによって占有された持続時間＋全フレーム間間隔）であって、前記事前設定オフセットが事前設定値であり、一定の時間内に送信されたフレームによって占有された前記持続時間が、一定の時間内に送信された1種類のフレーム、または複数の種類のフレームによって占有された部分時間長および／または全時間長であり、前記全フレーム間間隔が、一定の時間内に送信された1種類のフレーム間、または複数の種類のフレーム間の間隔によって占有された部分時間長および／または全時間長である、前記情報送信時間＝事前設定オフセット
を含む、請求項33に記載の情報送信装置。
【請求項３６】
前記情報が、時分割複信セクタスイープフィードバックフレームであり、前記時分割複信セクタスイープフィードバックフレームの送信時間を決定することが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項３７】
前記情報が、時分割複信セクタスイープフィードバックフレームであり、前記時分割複信セクタスイープフィードバックフレームの送信時間を決定することが具体的には、
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋（前記計数指数−前記時分割複信セクタスイープ確認フレーム計数指数）＊前記時分割複信セクタスイープフレームの前記持続時間＋（前記計数指数−1）＊短いビーム形成フレーム間間隔］、
前記時分割複信セクタスイープフィードバックフレームの前記送信時間＝応答側フィードバックオフセット−［（前記計数指数−前記時分割複信セクタスイープフレーム計数指数）＊前記時分割複信セクタスイープ確認フレームの前記持続時間＋前記時分割複信セクタスイープフレーム計数指数＊前記時分割複信セクタスイープフレームの前記持続時間＋（前記計数指数−1）＊短いビーム形成フレーム間間隔］、あるいは
前記時分割複信セクタスイープフィードバックフレームの前記送信時間＝応答側フィードバックオフセット−［前記時分割複信セクタスイープ確認フレーム計数指数＊前記時分割複信セクタスイープ確認フレームの前記持続時間＋前記時分割複信セクタスイープフレーム計数指数＊前記時分割複信セクタスイープフレームの前記持続時間＋（前記時分割複信セクタスイープ確認フレーム計数指数＋前記時分割複信セクタスイープフレーム計数指数−1）＊短いビーム形成フレーム間間隔］であって、
前記応答側フィードバックオフセットは、1つ以上の時分割複信セクタスイープフレーム内のResponder Feedback Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧1でかつ整数であり、前記時分割複信セクタスイープ確認フレーム計数指数≧0でかつ整数である、
請求項34に記載の情報送信装置。
【請求項３８】
前記情報が、時分割複信セクタスイープ確認フレームであり、前記時分割複信セクタスイープ確認フレームの送信時間を決定することが具体的には、
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記時分割複信セクタスイープ確認フレームの前記送信時間＝開始側確認オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記時分割複信セクタスイープ確認フレームの前記送信時間＝開始側確認オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記開始側確認オフセットは、1つ以上の時分割複信セクタスイープフレーム内のInitiator Ack Offset subfieldの値であり、前記1つ以上の時分割複信セクタスイープフレームが同じTX Sector IDを有し、かつ前記1つ以上の時分割複信セクタスイープフレームがTDD slot内で送信され、
前記時分割複信セクタスイープ確認フレーム計数指数が、現在の時分割複信セクタスイープフレームが受信される前に送信端によって送信された時分割複信セクタスイープ確認フレームの数であり、前記1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの全計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項３９】
前記情報が開始側告知フレームであり、前記開始側告知フレームの送信時間を決定することが具体的には、
前記開始側告知フレームの前記送信時間＝開始側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記開始側告知フレームの前記送信時間＝開始側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］であって、
前記時分割複信セクタスイープ確認フレーム内のEnd of Training subfieldの値が1のときに、前記開始側送信オフセットがInitiator Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームが、TDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項４０】
前記情報が応答側告知フレームであり、前記応答側告知フレームの送信時間を決定することが具体的には、
前記応答側告知フレームの前記送信時間＝応答側送信オフセット−［前記時分割複信セクタスイープ確認フレーム計数指数＊前記時分割複信セクタスイープ確認フレームの前記持続時間＋（前記計数指数＋1−前記時分割複信セクタスイープ確認フレーム計数指数）＊前記時分割複信セクタスイープフレームの前記持続時間＋前記計数指数＊短いビーム形成フレーム間間隔］、
前記応答側告知フレームの前記送信時間＝応答側送信オフセット−［（前記計数指数−前記時分割複信セクタスイープフレーム計数指数）＊前記時分割複信セクタスイープ確認フレームの前記持続時間＋（前記時分割複信セクタスイープフレーム計数指数＋1）＊前記時分割複信セクタスイープフレームの前記持続時間＋前記計数指数＊短いビーム形成フレーム間間隔］、あるいは
前記応答側告知フレームの前記送信時間＝応答側送信オフセット−［前記時分割複信セクタスイープ確認フレーム計数指数＊前記時分割複信セクタスイープ確認フレームの前記持続時間＋（前記時分割複信セクタスイープフレーム計数指数＋1）＊前記時分割複信セクタスイープフレームの前記持続時間＋（前記時分割複信セクタスイープ確認フレーム計数指数＋前記時分割複信セクタスイープフレーム計数指数）＊短いビーム形成フレーム間間隔］であって、
前記時分割複信セクタスイープ確認フレーム内のEnd of Training subfieldの値が1のときに、前記応答側送信オフセットが、Responder Transmit Offset subfieldの値であり、
前記時分割複信セクタスイープ確認フレーム計数指数が、現在の時分割複信セクタスイープフレームが受信される前に送信端によって送信された時分割複信セクタスイープ確認フレームの数であり、1つ以上の時分割複信セクタスイープ確認フレームがTDD slot内で送信され、
前記時分割複信セクタスイープフレーム計数指数が、TDD Slot内の前記送信端によって送信された時分割複信セクタスイープフレームの計数値であり、
前記時分割複信セクタスイープ確認フレームの前記持続時間が、前記時分割複信セクタスイープ確認フレームに対応するPHY層PPDUの持続時間であり、
前記計数指数が、TDD Slot内で送信されたフレームの総計数値であり、前記フレームが、前記時分割複信セクタスイープフレームと、前記時分割複信セクタスイープ確認フレームとを含み、
前記時分割複信セクタスイープフレームの前記持続時間が、前記時分割複信セクタスイープフレームに対応するPHY層PPDUの持続時間であり、
前記短いビーム形成フレーム間間隔が、TDD Slot内で送信されたフレームのうちの隣接するフレーム間の間隔であって、前記フレームが、前記時分割複信セクタスイープフレームと、前記時分割複信セクタスイープ確認フレームとを含み、
前記計数指数≧0でかつ整数であり、前記時分割複信セクタスイープ確認フレーム計数指数≧0でかつ整数である、
請求項34に記載の情報送信装置。
【請求項４１】
受信デバイスであって、前記受信デバイスは、プロセッサと、送受信機と、メモリとを備え、前記メモリは命令を記憶するように構成され、前記プロセッサは、請求項1から12のいずれか一項に記載の方法を行うために、前記メモリ内の前記命令を実行するように構成される、受信デバイス。
【請求項４２】
送信デバイスであって、前記送信デバイスは、プロセッサと、送受信機と、メモリとを備え、前記メモリは命令を記憶するように構成され、前記プロセッサは、請求項12から24のいずれか一項に記載の方法を行うために、前記メモリ内の前記命令を実行するように構成される、送信デバイス。
【請求項４３】
コンピュータ可読記憶媒体であって、前記コンピュータ可読記憶媒体はコンピュータプログラムを記憶するように構成され、前記コンピュータプログラムがコンピュータで実行されると、前記コンピュータは請求項1から24のいずれか一項に記載の方法を実行可能となる、コンピュータ可読記憶媒体。
【請求項４４】
コンピュータプログラム製品であって、前記コンピュータプログラム製品は、請求項1から24のいずれか一項に記載の方法を実行するのに使用される命令を含む、コンピュータプログラム製品。
【請求項４５】
チップであって、前記チップはプロセッサと送受信機インターフェースとを備え、前記送受信機インターフェースおよび前記プロセッサは、内部接続パスを使用して相互に通信し、前記プロセッサは、請求項1から24のいずれか一項に記載の方法を行うように前記チップを制御するように構成される、チップ。
【国際調査報告】
2021513273.tif 000012
2021513273.tif 000013
2021513273.tif 000014
2021513273.tif 000015